(57)【要約】【課題】移動局装置の数が増加したときでも、伝送効率悪化を抑制すること【解決手段】所定の周波数帯と時間帯とで決められた複数のブロックを、それぞれ端末装置に割り当てて無線通信する基地局装置において、予め端末装置が割り当てられている準固定的割り当て用一時端末識別情報と端末装置との対応関係を記憶する対応記憶手段と、対応記憶手段にて対応関係を記憶している準固定的割り当て用一時端末識別情報と、通知毎に端末装置を割り当てる動的割り当て用一時端末識別情報とを用いて各ブロックの端末装置への割り当てを表す割り当て情報を生成するスケジューリング手段と、割り当て情報と、割り当て情報において用いた動的割り当て用一時端末識別情報で指定された端末装置を特定するために当該基地局装置において端末装置を一意に識別する静的端末識別情報とを端末装置へ通知する割り当て通知手段とを具備することを特徴とする基地局装置。【選択図】図２１
2008172366.tif 000002
【特許請求の範囲】
【請求項１】
所定の周波数帯と時間帯とで決められた複数のブロックを、それぞれ端末装置に割り当てて該端末装置と無線通信する基地局装置において、
予め端末装置が割り当てられている準固定的割り当て用一時端末識別情報について、該準固定的割り当て用一時端末識別情報と端末装置との対応関係を記憶する対応記憶手段と、
前記対応記憶手段にて対応関係を記憶している前記準固定的割り当て用一時端末識別情報と、通知毎に端末装置を割り当てる動的割り当て用一時端末識別情報とを用いて各前記ブロックの端末装置への割り当てを表す割り当て情報を生成するスケジューリング手段と、
前記割り当て情報と、該割り当て情報において用いた前記動的割り当て用一時端末識別情報で指定された端末装置を特定するために当該基地局装置において端末装置を一意に識別する静的端末識別情報とを前記端末装置へ通知する割り当て通知手段と
を具備することを特徴とする基地局装置。
【請求項２】
前記対応記憶手段は、前記準固定的割り当て用一時端末識別情報と端末装置との対応関係に加えて、該対応関係が成り立つブロック群との対応関係を記憶していることを特徴とする請求項１に記載の基地局装置。
【請求項３】
前記対応記憶手段を参照して、前記準固定的割り当て用一時端末識別情報と静的端末識別情報との対応関係に加えて、該対応関係が成り立つブロック群との対応関係を表す情報を前記端末装置へ通知する準固定識別対応通知手段を具備することを特徴とする請求項２に記載の基地局装置。
【請求項４】
前記対応記憶手段は、前記対応関係に加えて、前記準固定的割り当て用一時端末識別情報に対応する端末装置が送受信に用いる通信パラメータのうち準固定的に変更する準固定的通信パラメータを記憶し、
前記準固定的通信パラメータを、前記端末装置に通知する準固定的通信パラメータ通知手段を具備すること
を特徴とする請求項１から請求項３のいずれかの項に記載の基地局装置。
【請求項５】
前記割り当て通知手段は、前記準固定的割り当て用一時端末識別情報に対応する端末装置が送受信に用いる通信パラメータのうち、動的に変更する動的通信パラメータを通知することを特徴とする請求項４に記載の基地局装置。
【請求項６】
前記割り当て通知手段は、前記割り当て情報および前記静的端末識別情報の通知とともに、該割り当て情報において用いた前記動的割り当て用一時端末識別情報の各値に対応する端末装置が送受信に用いる通信パラメータを通知することを特徴とする請求項１から請求項５のいずれかの項に記載の基地局装置。
【請求項７】
所定の周波数帯と時間帯とで決められた複数のブロックの中から、基地局装置により割り当てられたブロックにて前記基地局装置と無線通信する端末装置において、
予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する割り当て受信手段
を具備することを特徴とする端末装置。
【請求項８】
自装置と対応付けられた前記準固定的割り当て用一時端末識別情報の値を記憶する対応記憶手段を具備し、
前記割り当て受信手段は、自装置が前記準固定的割当て用一時端末識別情報の値と対応付けられているときは、自装置に割り当てられたブロックを検出する際に、前記対応記憶手段に記憶されている前記準固定的割り当て用一時端末識別情報の値を用いること
を特徴とする請求項７に記載の端末装置。
【請求項９】
前記対応記憶手段は、自装置と対応付けられた前記準固定的割り当て用一時端末識別情報と静的端末識別情報との対応関係に加えて、該対応関係が成り立つブロック群との対応関係を記憶していること
を特徴とする請求項８に記載の端末装置。
【請求項１０】
前記準固定的割り当て用一時識別情報と静的端末識別情報との対応関係に加えて、該対応関係が成り立つブロック群との対応関係を表す情報を、基地局装置から受信する準固定識別対応受信手段を具備することを特徴とする請求項９に記載の端末装置。
【請求項１１】
前記対応記憶手段は、前記対応関係に加えて、前記基地局装置との送受信に用いる通信パラメータのうち準固定的に変更する準固定的通信パラメータを記憶し、
前記準固定的通信パラメータを、基地局装置から受信する準固定的通信パラメータ受信手段を具備すること
を特徴とする請求項８から請求項１０のいずれかの項に記載の端末装置。
【請求項１２】
前記割り当て受信手段は、前記割り当て情報とともに受信した静的端末識別情報が自装置の静的端末識別情報と一致するときは、前記基地局装置との送受信に用いる通信パラメータを受信することを特徴とする請求項７から請求項１１のいずれかの項に記載の端末装置。
【請求項１３】
前記割り当て受信手段は、前記基地局装置との送受信に用いる通信パラメータのうち動的に変更する動的通信パラメータを受信することを特徴とする請求項１２に記載の端末装置。
【請求項１４】
所定の周波数帯と時間帯とで決められた複数のブロックを、それぞれ端末装置に割り当てて該端末装置と無線通信する基地局装置が具備するコンピュータを、
対応記憶手段にて端末装置との対応関係を記憶している準固定的割り当て用一時端末識別情報と、通知毎に端末装置を割り当てる動的割り当て用一時端末識別情報とを用いて各前記ブロックの端末装置への割り当てを表した割り当て情報を生成するスケジューリング手段、
前記割り当て情報と、該割り当て情報において用いた前記動的割り当て用一時端末識別情報で指定された端末装置を特定するための当該基地局装置において端末装置を一意に識別する静的端末識別情報とを前記端末装置へ通知する割り当て通知手段
として機能させる基地局装置のプログラム。
【請求項１５】
所定の周波数帯と時間帯とで決められた複数のブロックの中から、基地局装置により割り当てられたブロックにて前記基地局装置と無線通信する端末装置が具備するコンピュータを、
予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する割り当て受信手段
として機能させる端末装置のプログラム。
【請求項１６】
所定の周波数帯と時間帯とで決められた複数のブロックを、それぞれ端末装置に割り当てて該端末装置と無線通信する基地局装置における制御情報送信方法において、
前記基地局装置が、対応記憶手段にて端末装置との対応関係を記憶している準固定的割り当て用一時端末識別情報と、通知毎に端末装置を割り当てる動的割り当て用一時端末識別情報とを用いて各前記ブロックの端末装置への割り当てを表す割り当て情報を生成する第１の過程と、
前記基地局装置が、前記割り当て情報と、該割り当て情報において用いた前記動的割り当て用一時端末識別情報で指定された端末装置を特定するための当該基地局装置において端末装置を一意に識別する静的端末識別情報とを前記端末装置へ通知する第２の過程と
を具備することを特徴とする制御情報送信方法。
【請求項１７】
所定の周波数帯と時間帯とで決められた複数のブロックの中から、基地局装置により割り当てられたブロックにて前記基地局装置と無線通信する端末装置における制御情報受信方法であって、
前記端末装置が、予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する第１の過程
を備えることを特徴とする制御情報受信方法。
【発明の詳細な説明】
【技術分野】
【０００１】
本発明は、基地局装置、端末装置、プログラム、制御情報送信方法および制御情報受信方法、特に端末に割り当てられた所定の周波数帯と時間帯とで決められたブロックにて無線通信する基地局装置、端末装置、プログラム、制御情報送信方法および制御情報受信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が、セルラー移動通信の第三世代無線アクセス方式（３Ｇ）として標準化され、サービスが開始されている。また、３Ｇの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ、以下、「ＥＵＴＲＡ」と呼称する。）および３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以下、「ＥＵＴＲＡＮ」と呼称する。）が検討されている。また、基地局装置から移動局装置への無線リンク（以下、「下りリンク」という。また、移動局装置から基地局装置への無線リンクを、以下「上りリンク」という。）として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式が提案されている。
また、Ｗ−ＣＤＭＡ方式の下りリンクを高速パケット通信に適用した高速下りリンクパケット無線アクセスＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式が標準化されている（非特許文献１）。
【０００３】
ＨＳＤＰＡ方式の下りリンク物理チャネルとして、高速物理下り共用チャネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＤＳＣＨ関連共用制御チャネルＨＳ−ＳＣＣＨ（ＨＳ−ＤＳＣＨ−ｒｅｌａｔｅｄ  Ｓｈａｒｅｄ  Ｃｏｎｔｒｏｌ  Ｃｈａｎｎｅｌ）がある。
ＨＳＤＰＡ方式の上りリンク物理チャネルとして、ＨＳ−ＤＳＣＨ関連上り個別物理制御チャンルＨＳ−ＤＰＣＣＨ（Ｄｅｄｉｃａｔｅｄ  Ｐｈｙｓｉｃａｌ  Ｃｏｎｔｒｏｌ  Ｃｈａｎｎｅｌ  ｆｏｒ  ＨＳ−ＤＳＣＨ）がある。
【０００４】
ＨＳＤＰＡ方式の高速物理下り共用チャネルＨＳ−ＰＤＳＣＨは、下りリンクの共用チャネルで、複数の移動局装置が共用し、各移動局装置へのトランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれる。このＨＳ―ＰＤＳＣＨは、上位レイヤから各移動局装置宛てのパケットデータの送信に使用される。
ＨＳＤＰＡ方式のＨＳ−ＤＳＣＨ関連共用制御チャネルＨＳ−ＳＣＣＨは、下りリンクの共用チャネルで、複数の移動局装置が共用し、移動局装置において高速物理下り共用チャネルＨＳ−ＤＳＣＨの復調に必要な情報（変調方式、拡散コード）、誤り訂正復号処理やハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報を各移動局装置に送信する。
【０００５】
ＨＳ−ＤＳＣＨ関連上り個別物理制御チャンルＨＳ−ＤＰＣＣＨは、上りリンクの個別制御チャネルで、下りリンク無線伝搬路状況を表す下りリンク品質情報ＣＱＩ（Ｃｈａｎｎｅｌ  Ｑｕａｌｉｔｙ  Ｉｎｄｉｃａｔｉｏｎ）と、ハイブリッド自動再送ＨＡＲＱに対応した受信確認情報であるＡＣＫ／ＮＡＣＫ（Ａｃｋｎｏｗｌｅｄｇｅｍｅｎｔ／Ｎｅｇａｔｉｖｅ  Ａｃｋｎｏｗｌｅｄｇｅｍｅｎｔｓ）の送信に使われている。
各移動局装置に対する制御チャネルは、個別物理制御チャネルで送信されるか、共用制御チャネルと移動局識別情報（ＲＮＴＩ：Ｒａｄｉｏ  Ｎｅｔｗｏｒｋ  Ｔｅｍｐｏｒａｒｙ  ＩＤ）によって特定される。この移動局識別情報は、１６ｂｉｔである。例えば、ＨＳ−ＤＳＣＨ関連共用制御チャネルＨＳ−ＳＣＣＨは、高速下り共用チャネルＨＳ−ＤＳＣＨとコード多重されている。よって、ＨＳ−ＳＣＣＨは、ＨＳ−ＤＳＣＨで一つの移動局装置が使用する時間（３スロット）範囲で送信されればよく、ＨＳ−ＳＣＣＨは、ＨＳ−ＤＳＣＨの制御に必要な情報量（拡散コード、変調方式、トランスポートブロックサイズ、ＨＡＲＱ処理情報、誤り訂正復号処理情報、移動局識別情報など：符号化率１.０で計３７ｂｉｔ）を十分に収容できる。また、移動局識別情報は、誤り訂正符号化処理手順の中に含めることにより、限られたビット数を効率的に利用している。これは、ＵＥＩＤ  ｍａｓｋｅｄ  ＣＲＣ  （Ｕｓｅｒ  Ｅｑｕｉｐｍｅｎｔ  ＩＤｅｎｔｉｔｙ  ｍａｓｋｅｄ  Ｃｙｃｌｉｃ  Ｒｅｄｕｎｄａｎｃｙ  Ｃｈｅｃｋ）と呼ばれている。すなわち、これは、移動局装置ごとに個別に制御信号を誤り訂正符号化する構成（Ｓｅｐａｒａｔｅ  Ｃｏｄｉｎｇ：個別符号化）である。
【０００６】
一方、第三世代無線アクセスの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ、以下、ＥＵＴＲＡとする）及び第三世代無線アクセスネットワークの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ，以下、ＥＵＴＲＡＮとする）が検討されている。ＥＵＴＲＡの下りリンクとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式が提案されている。ＥＵＴＲＡ技術として、ＯＦＤＭ方式にチャネル符号化等の適応無線リンク制御（Ｌｉｎｋ  Ａｄａｐｔｉｖｅｉｏｎ：リンクアダプテーション）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ、以下「ＡＭＣＳ方式」という）といった技術が適用されている。
【０００７】
ＡＭＣＳ方式とは、高速パケットデータ伝送を効率的に行うために、各移動局装置の伝搬路状況に応じて、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、及びマルチコード多重数などの無線伝送パラメーター（以下、「ＡＭＣモード」という）を切り替える方式である。例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。
【０００８】
ＯＦＤＭ方式における下り物理チャネル、トランスポートチャネルの配置について、Ｓｐｒｅａｄ−ＯＦＤＭ方式（例えば、特許文献１、特許文献２参照）では、拡散符号多重により物理制御チャネルと物理データチャネルを同じ周波数帯域に多重する方法が提案されている。また、Ｎｏｎ  Ｓｐｒｅａｄ−ＯＦＤＭ方式（例えば、無線ＬＡＮ規格８０２.１６など）では、ＯＦＤＭの周波数軸（サブキャリア）と時間軸（ＯＦＤＭシンボル）のリソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭの組み合わせで時間・周波数に多重する方法が提案されている。
【０００９】
また、ＥＵＴＲＡの技術資料（非特許文献２参照）では、下りリンク無線フレームの構成が示されているが、無線フレームは、周波数方向、時間方向に分割され、分割されたブロックに対して、各移動局装置に対するデータがマッピングされる。このデータのマッピングを行なうため、移動局識別情報などにより、ブロックに対する各移動局装置の割り当て情報を基地局装置から送信する必要がある。
【特許文献１】特開２００１−２３７８０３号公報
【特許文献２】特開２００４−２９７７５６号公報
【非特許文献１】３ＧＰＰ  ＴＲ（Ｔｅｃｈｎｉｃａｌ  Ｒｅｐｏｒｔ）２５.８５８、及び３ＧＰＰのＨＳＤＰＡ仕様関連資料.ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ
【非特許文献２】Ｒ１−０５０７０７  "Ｐｈｙｓｉｃａｌ  Ｃｈａｎｎｅｌｓ  ａｎｄ  Ｍｕｌｔｉｐｌｅｘｉｎｇ  ｉｎ  Ｅｖｏｌｖｅｄ  ＵＴＲＡ  Ｄｏｗｎｌｉｎｋ"  ３ＧＰＰ  ＴＳＧ  ＲＡＮ  ＷＧ１  ＃４２  ｏｎ  ＬＴＥ  Ｌｏｎｄｏｎ，  ＵＫ，  Ａｕｇｕｓｔ  ２９−  Ｓｅｐｔｅｍｂｅｒ  ２，  ２００５
【発明の開示】
【発明が解決しようとする課題】
【００１０】
しかしながら、ＨＳＤＰＡ方式にあっては、移動局装置の識別情報に基地局装置内で一意に識別可能な１６ビットのＣ−ＲＮＴＩ（Ｃｅｌｌ  Ｓｐｅｃｉｆｉｃ  ｒａｄｉｏ  Ｎｅｔｗｏｒｋ  Ｔｅｍｐｏｒａｒｙ  Ｉｄｅｎｔｉｔｙ）を用い、リソース割り当て情報には、移動局装置がどのブロックを使用するべきかを示すために、各移動局装置についてリソースブロック数分のビットマップを用いるため、基地局装置の通信相手となる移動局装置の数に比例してリソース割り当てのための制御情報の情報容量が大きくなり、移動局装置数が増えると伝送効率が劣化するという問題がある。
【００１１】
例えば、適応変調を用いたシステムで、周波数帯域幅が５ＭＨｚで、２５のリソースブロックをスケジューリングする場合に１移動局装置当たりの制御情報の情報容量は、次に示す上りと下りの合計となる。下りの情報容量は、移動局装置の識別情報に１６ビット、リソース割り当て情報に２５ビット、適応変調方式の指定に例えば２ビット、アンテナ本数などを指定するＭＩＭＯ関連情報に例えば２ビット、ペイロードサイズに６ビット、ＨＡＲＱ番号に３ビット、ＨＡＲＱ再送番号に２ビットで、合計すると１６＋２５＋２＋２＋６＋３＋２＝５６ビットとなる。上りの情報容量は、移動局装置の識別情報に１６ビット、リソース割り当て情報には、上りでは連続するブロックにのみ割り当てられるので開始ブロック４ビットと終了ブロック４ビット、適応変調方式に２ビット、ＭＩＭＯ関連情報に２ビット、ペイロードサイズに６ビット、ＨＡＲＱ再送番号に２ビット、上り時間同期信号に１ビットで、合計する１６＋４＋４＋２＋２＋６＋２＋1＝３７ビットとなる。すなわち、上りと下りの合計は、５６＋３７＝９３ビットとなり、制御情報の情報容量は、移動局装置数×９３ビットとなる。
【００１２】
本発明は、このような事情に鑑みてなされたもので、その目的は、基地局装置の通信相手となる移動局装置の数が増加したときでも、伝送効率悪化を抑制することができる基地局装置、端末装置、制御情報送信方法、制御情報受信方法およびプログラムを提供することにある。
【課題を解決するための手段】
【００１３】
この発明は上述した課題を解決するためになされたもので、本発明の基地局装置は、所定の周波数帯と時間帯とで決められた複数のブロックを、それぞれ端末装置に割り当てて該端末装置と無線通信する基地局装置において、予め端末装置が割り当てられている準固定的割り当て用一時端末識別情報について、該準固定的割り当て用一時端末識別情報と端末装置との対応関係を記憶する対応記憶手段と、前記対応記憶手段にて対応関係を記憶している前記準固定的割り当て用一時端末識別情報と、通知毎に端末装置を割り当てる動的割り当て用一時端末識別情報とを用いて各前記ブロックの端末装置への割り当てを表す割り当て情報を生成するスケジューリング手段と、前記割り当て情報と、該割り当て情報において用いた前記動的割り当て用一時端末識別情報で指定された端末装置を特定するために当該基地局装置において端末装置を一意に識別する静的端末識別情報とを前記端末装置へ通知する割り当て通知手段とを具備することを特徴とする。
【００１４】
これにより、基地局装置は、割り当て情報において、各ブロックの端末装置へ割り当てを一時端末識別情報で表すので、割り当て情報の情報容量を端末装置数に依存しないようにし、さらに動的割り当て用一時端末識別情報に対応する静的端末識別情報のみを通知することで、通知する情報容量を抑えているので、端末装置の数が増加したときでも、伝送効率悪化を抑制することができる。
【００１５】
また、本発明の基地局装置は、上述の基地局装置であって、前記対応記憶手段は、前記準固定的割り当て用一時端末識別情報と端末装置との対応関係に加えて、該対応関係が成り立つブロック群との対応関係を記憶していることを特徴とする。
【００１６】
これにより、基地局装置は、同じ値の準固定的割り当て用一時端末識別情報に対して、異なるブロック群であれば、異なる端末装置を割り当てることができるので、スケジューリングの自由度を増やすことができ、さらに通知する情報容量を抑えることができる。
【００１７】
また、本発明の基地局装置は、上述の基地局装置であって、前記対応記憶手段を参照して、前記準固定的割り当て用一時端末識別情報と静的端末識別情報との対応関係に加えて、該対応関係が成り立つブロック群との対応関係を表す情報を前記端末装置へ通知する準固定識別対応通知手段を具備することを特徴とする。
【００１８】
これにより、基地局装置は、準固定的割り当て用一時端末識別情報に対する端末装置の割り当てを変更することができるので、スケジューリングの自由度を増やすことができ、さらに通知する情報容量を抑えることができる。
【００１９】
また、本発明の基地局装置は、上述のいずれかの基地局装置であって、前記対応記憶手段は、前記対応関係に加えて、前記準固定的割り当て用一時端末識別情報に対応する端末装置が送受信に用いる通信パラメータのうち準固定的に変更する準固定的通信パラメータを記憶し、前記準固定的通信パラメータを、前記端末装置に通知する準固定的通信パラメータ通知手段を具備することを特徴とする。
【００２０】
これにより、基地局装置は、準固定的割り当て用一時端末識別情報に対する端末装置の通信パラメータを伝搬路状況などに応じて変更し、伝送効率を上げることができる。
【００２１】
また、本発明の基地局装置は、上述のいずれかの基地局装置であって、前記割り当て通知手段は、前記準固定的割り当て用一時端末識別情報に対応する端末装置が送受信に用いる通信パラメータのうち、動的に変更する動的通信パラメータを通知することを特徴とする
【００２２】
これにより、基地局装置は、準固定な一時端末識別情報に対応する端末装置の通信パラメータを割り当てるブロックの伝搬路状況などに応じて変更し、伝送効率を上げることができる。
【００２３】
また、本発明の基地局装置は、上述のいずれかの基地局装置であって、前記割り当て通知手段は、前記割り当て情報および前記動的端末対応情報の通知とともに、該割り当て情報において用いた前記動的割り当て用一時端末識別情報の各値に対応する端末装置が送受信に用いる通信パラメータを通知することを特徴とする。
【００２４】
これにより、基地局装置は、動的割り当て用一時端末識別情報に対する端末装置の通信パラメータを割り当てるブロックの伝搬路状況などに応じて変更し、伝送効率を上げることができる。
【００２５】
また、本発明の端末装置は、所定の周波数帯と時間帯とで決められた複数のブロックの中から、基地局装置により割り当てられたブロックにて前記基地局装置と無線通信する端末装置において、予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する割り当て受信手段を具備することを特徴とする。
【００２６】
これにより、端末装置は、割り当て情報において、各ブロックの端末装置へ割り当てが一時端末識別情報で表されるので、割り当て情報の情報容量が端末装置数に依存せず、さらに準固定的割り当て用一時端末識別情報に対応する静的端末識別情報が通知されないので、通知される情報容量が抑えられ、端末装置の数が増加したときでも、伝送効率悪化を抑制することができる。
【００２７】
また、本発明の端末装置は、上述の端末装置であって、自装置と対応付けられた前記準固定的割り当て用一時端末識別情報の値を記憶する対応記憶手段を具備し、前記割り当て受信手段は、自装置が前記準固定的割当て用一時端末識別情報の値と対応付けられているときは、自装置に割り当てられたブロックを検出する際に、前記対応記憶手段に記憶されている前記準固定的割り当て用一時端末識別情報の値を用いることを特徴とする。
【００２８】
これにより、端末装置は、自装置と準固定的割り当て用一時端末識別情報との対応付けと、通信パラメータを基地局装置からの通知に応じて変更することができるので、基地局装置におけるスケジューリングの自由度を増やすことができ、さらに準固定的割り当て用一時端末識別情報との対応付けられているときに基地局装置が伝搬路状況などに応じて通知する通信パラメータを変更することで、伝搬路状況に応じた通信パラメータで通信し、伝送効率を上げることができる。
【００２９】
また、本発明の端末装置は、上述の端末装置であって、前記対応記憶手段は、自装置と対応付けられた前記準固定的割り当て用一時端末識別情報と静的端末識別情報との対応関係に加えて、該対応関係が成り立つブロック群との対応関係を記憶していることを特徴とする。
【００３０】
これにより、端末装置は、同じ値の準固定的割り当て用一時端末識別情報に対して、異なるブロック群であれば、異なる端末装置を割り当てられるので、基地局装置におけるスケジューリングの自由度を増やすことができ、さらに通知される情報容量を抑えることができる。
【００３１】
また、本発明の端末装置は、上述の端末装置であって、前記準固定的割り当て用一時識別情報と静的端末識別情報との対応関係に加えて、該対応関係が成り立つブロック群との対応関係を表す情報を、基地局装置から受信する準固定識別対応受信手段を具備することを特徴とする。
【００３２】
これにより、端末装置は、準固定的割り当て用一時識別情報と静的端末識別情報との対応関係が成り立つブロック郡を変更することができるので、基地局装置におけるスケジューリングの自由度を増やすことができ、さらに通知する情報容量を抑えることができる。
【００３３】
また、本発明の端末装置は、上述のいずれかの端末装置であって、前記対応記憶手段は、前記対応関係に加えて、前記基地局装置との送受信に用いる通信パラメータのうち準固定的に変更する準固定的通信パラメータを記憶し、前記準固定的通信パラメータを、基地局装置から受信する準固定的通信パラメータ受信手段を具備することを特徴とする。
【００３４】
これにより、端末装置は、準固定的割り当て用一時端末識別情報と対応付けられているときに、基地局装置が伝搬路状況などに応じて通知する通信パラメータを変更することで、伝搬路状況に応じた通信パラメータで通信し、伝送効率を上げることができる。
【００３５】
また、本発明の端末装置は、上述のいずれかの端末装置であって、前記割り当て受信手段は、前記割り当て情報とともに受信した静的端末識別情報が自装置の静的端末識別情報と一致するときは、前記基地局装置との送受信に用いる通信パラメータを受信することを特徴とする。
【００３６】
これにより、端末装置は、動的割り当て用一時端末識別情報との対応付けられているときに基地局装置からの通知に応じて変更することができるので、基地局装置が伝搬路状況などに応じて通知する通信パラメータを変更することで、伝搬路状況に応じた通信パラメータで通信し、伝送効率を上げることができる。
【００３７】
また、本発明の基地局装置のプログラムは、所定の周波数帯と時間帯とで決められた複数のブロックを、それぞれ端末装置に割り当てて該端末装置と無線通信する基地局装置が具備するコンピュータを、対応記憶手段にて端末装置との対応関係を記憶している準固定的割り当て用一時端末識別情報と、通知毎に端末装置を割り当てる動的割り当て用一時端末識別情報とを用いて各前記ブロックの端末装置への割り当てを表した割り当て情報を生成するスケジューリング手段、前記割り当て情報と、該割り当て情報において用いた前記動的割り当て用一時端末識別情報で指定された端末装置を特定するための当該基地局装置において端末装置を一意に識別する静的端末識別情報とを前記端末装置へ通知する割り当て通知手段として機能させる。
【００３８】
また、本発明の端末装置のプログラムは、所定の周波数帯と時間帯とで決められた複数のブロックの中から、基地局装置により割り当てられたブロックにて前記基地局装置と無線通信する端末装置が具備するコンピュータを、予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する割り当て受信手段として機能させる。
【００３９】
また、本発明の制御情報送信方法は、所定の周波数帯と時間帯とで決められた複数のブロックを、それぞれ端末装置に割り当てて該端末装置と無線通信する基地局装置における制御情報送信方法において、前記基地局装置が、対応記憶手段にて端末装置との対応関係を記憶している準固定的割り当て用一時端末識別情報と、通知毎に端末装置を割り当てる動的割り当て用一時端末識別情報とを用いて各前記ブロックの端末装置への割り当てを表す割り当て情報を生成する第１の過程と、前記基地局装置が、前記割り当て情報と、該割り当て情報において用いた前記動的割り当て用一時端末識別情報で指定された端末装置を特定するための当該基地局装置において端末装置を一意に識別する静的端末識別情報とを前記端末装置へ通知する第２の過程とを具備することを特徴とする。
【００４０】
また、本発明の制御情報受信方法は、所定の周波数帯と時間帯とで決められた複数のブロックの中から、基地局装置により割り当てられたブロックにて前記基地局装置と無線通信する端末装置における制御情報受信方法であって、前記端末装置が、予め端末装置が割り当てられている準固定的割り当て用一時端末識別情報と、通知毎に端末装置が割り当てられる動的割り当て用一時端末識別情報とを用いて、各ブロックの端末装置への割り当てを表す割り当て情報と、該割り当て情報において用いた前記動的割り当て用一時端末識別情報で指定された端末装置を特定するための当該基地局装置において端末装置を一意に識別する静的端末識別情報とを受信し、自装置に割り当てられたブロックを検出する第１の過程を備えることを特徴とする。
【発明の効果】
【００４１】
この発明によれば、割り当て情報において、各ブロックの端末装置へ割り当てを一時端末識別情報で表すので、割り当て情報の情報容量を端末装置数に依存しないようにし、さらに準固定的割り当て用一時端末識別情報に対応する静的端末識別情報を通知不要として、通知する情報容量を抑えているので、端末装置の数が増加したときでも、伝送効率悪化を抑制することができる。
【発明を実施するための最良の形態】
【００４２】
図１は、ＥＵＴＲＡにおける３ＧＰＰの提案をベースに想定されている下りリンク無線フレームの構成例であり（３ＧＰＰ寄書Ｒ１−０５０７０５“Ｐｉｌｏｔ  Ｃｈａｎｎｅｌ  Ｓｔｒｕｃｔｕｒｅ  ｉｎ  Ｅｖｏｌｖｅｄ  ＵＴＲＡ  Ｄｏｗｎｌｉｎｋ”３ＧＰＰ  ＴＳＧ  ＲＡＮ  ＷＧ１  ＃４２  ｏｎ  ＬＴＥ  Ｌｏｎｄｏｎ，Ｕｋ，Ａｕｇ  ２９−Ｓｅｐ  ２，２００５、３ＧＰＰ寄書Ｒ１−０５０７０７“Ｐｈｙｓｉｃａｌ  Ｃｈａｎｎｅｌｓ  ａｎｄ  Ｍｕｌｔｉｐｌｅｘｉｎｇ  ｉｎ  Ｅｖｏｌｖｅｄ  ＵＴＲＡ  Ｄｏｗｎｌｉｎｋ"  ３ＧＰＰ  ＴＳＧ  ＲＡＮ  ＷＧ１  ＃４２  ｏｎ  ＬＴＥ  Ｌｏｎｄｏｎ，ＵＫ，Ａｕｇ  ２９−  Ｓｅｐ  ２，２００５、３ＧＰＰ寄書Ｒ１−０５０８５２“ＣＱＩ−ｂａｓｅｄ  ＴＲＡＮＳＭＩＳＳＩＯＮ  ＰＯＷＥＲ  ＣＯＮＴＲＯＬ  ｆｏｒ  Ｃｏｎｔｒｏｌ  Ｃｈａｎｎｅｌ  ｉｎ  Ｅｖｏｌｖｅｄ  ＵＴＲＡ”３ＧＰＰ  ＴＳＧ  ＲＡＮ  ＷＧ１  ＃４２  ｏｎ  ＬＴＥ  Ｌｏｎｄｏｎ，Ｕｋ，Ａｕｇ  ２９−Ｓｅｐ  ２，２００５）、本実施形態における下りリンク無線フレームの構成例を示す図である。図１に示すように、基地局装置から移動局装置への下りリンクの無線フレームは、各々が所定の周波数帯と時間帯とからなる無線リソース単位であるブロックから構成されている。以下、このブロックを、ＰＲＢ（Ｐｈｙｓｉｃａｌ  Ｒｅｓｏｕｃｅ  Ｂｌｏｃｋ：物理リソースブロック）という。ＰＲＢは、１または複数のサブキャリアに対応する周波数成分としてのサブチャネル、および１または複数のＯＦＤＭシンボルに対応する時間成分としてのサブスロットから定められる。
【００４３】
例えば、下りリンクの全体の帯域（下りリンク周波数帯域幅）Ｂａｌｌを５ＭＨｚ、ＰＲＢ帯域幅Ｂｐｒｂを１８０ｋＨｚ、サブキャリア周波数帯域幅Ｂｓｃを１５ｋＨｚ、１つの無線フレーム長を１０ｍｓ、サブスロットの長さを７ＯＦＤＭシンボル（０.５ｍｓ）、ユーザの単位送信時間ＴＴＩ（Ｔｒａｎｓｍｉｓｓｉｏｎ  Ｔｉｍｅ  Ｉｎｔｅｒｖａｌ）を１.０ｍｓ（サブフレーム）、ガード用帯域０．５ＭＨｚとする場合、１つの無線フレームは、周波数軸方向に２５個、時間軸方向に２０個のＰＲＢ、つまり５００個のＰＲＢから構成される。従って、無線フレーム内のＲＢの位置は、周波数方向配置番号ｆ、サブスロット番号ｔとしたときの配列Ｆ（ｆ，ｔ）で表現することができる。例えば上記の例では１≦ｆ≦２５，１≦ｔ≦２０となる。ただし、図１には、ガード用帯域については示していない。
【００４４】
また、１つのＰＲＢには１２本のサブキャリアが含まれており、ＯＦＤＭシンボル長Ｔｓを０.０７ｍｓ（Ｓｈｏｒｔ  ＣＰ：Ｓｈｏｒｔ  Ｃｙｃｌｉｃ  Ｐｒｅｆｉｘ）とすると１つのＰＲＢには７個のＯＦＤＭシンボルが含まれる計算となる。ガードインターバル長を伸ばしたＯＦＤＭシンボル（Ｌｏｎｇ  ＣＰ）を使用する場合は、ＯＦＤＭシンボル長Ｔｓを０.０８ｍｓとすると１つのＰＲＢには６個のＯＦＤＭシンボルが含まれる計算となる。従って、１ＰＲＢは、図２に示すように、サブキャリア番号ｆ、ＯＦＤＭシンボル番号ｔとしたときの配列Ｃ（ｆ，ｔ）で表現することができる。例えば上記のＳｈｏｒｔ  ＣＰの例では１≦ｆ≦１２，１≦ｔ≦７となる。
【００４５】
上記ＴＴＩ（サブフレーム）は、２サブスロットで構成され、１サブフレームには、
（１）ユーザが使用するユーザデータ、
（２）下りリンク制御情報および上りリンク制御情報（移動局識別情報（ＵｓｅｒＥｑｕｉｐｍｅｎｔ  ｉｄｅｎｔｉｔｙ），変調方式，誤り訂正方式，ハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報，データ長などの送信パラメータ）、
（３）制御データ及びユーザデータの復調を行なうための伝搬路推定に用いる既知のパイロット信号
がマッピングされている。
【００４６】
また、さらに無線フレームの先頭では、（４）フレームの同期をとるための同期信号、及び（５）フレーム全体の構成を報知するための共通制御情報、がマッピングされている。また、ＰＲＢをユーザデータと共用する情報として、（６）ページング情報、（７）ＭＢＭＳ情報がマッピングされている。
【００４７】
上記の（１）〜（７）の下りリンク物理レイヤのチャネルをそれぞれ以下のように定義する。
（１）下りリンク共用データチャネルＰＤＳＣＨ（Ｐｈｙｓｉｃａｌ  Ｄｏｗｎｌｉｎｋ  Ｓｈａｒｅｄ  Ｃｈａｎｎｅｌ）、
（２）下りリンク共用制御チャネルＰＳＣＣＨ（Ｐｈｙｓｉｃａｌ  Ｓｈａｒｅｄ  Ｃｏｎｔｒｏｌ  Ｃｈａｎｎｅｌ）、
（３）下りリンクパイロットチャネルＤＰＩＣＨ（Ｄｏｗｎｌｉｎｋ  Ｐｉｌｏｔ  ｃｈａｎｎｅｌ）、
（４）同期チャネルＳＣＨ（Ｓｙｎｃｈｒｏｎｉｓａｔｉｏｎ  Ｃｈａｎｎｅｌ）、
（５）共通制御チャネルＣＣＰＣＨ（Ｃｏｍｍｏｎ  Ｃｏｎｔｒｏｌ  Ｐｈｙｓｉｃａｌ  Ｃｈａｎｎｅｌ）、
（６）ページングチャネルＰＣＨ（Ｐａｇｉｎｇ  Ｃｈａｎｎｅｌ）、
（７）マルチキャストチャネルＭＣＨ（Ｍｕｌｔｉｃａｓｔ  Ｃｈａｎｎｅｌ）
【００４８】
移動局装置（ユーザ，移動局装置）宛のデータが送られるＰＲＢは、基本的に、（３）下りリンクパイロットチャネルＤＰＩＣＨ、（２）下りリンク共用制御チャネルＰＳＣＣＨ、および（１）下りリンク共用データチャネルＰＤＳＣＨから構成されている。
ＤＰＩＣＨは、セルサーチやハンドオーバを行なう際の電力測定、適応変調（ＡＭＣＳ）を行なうためのＣＱＩ測定、および、ＰＳＣＣＨやＰＤＳＣＨを復調するためのチャネル推定に使用される。
ＰＳＣＣＨは、下りリンクのための制御情報として、ＰＲＢの変調方式、データ長、自局宛のデータのＰＲＢの位置、Ｈｙｂｒｉｄ  ＡＲＱの情報、などユーザデータの復調に必要な制御情報、さらに上りリンクのための制御情報として、電力制御、ＰＲＢの送信タイミング制御、自局の送信すべきＰＲＢの位置、変調方式、データ長、移動局装置が送信したデータに対するＨＡＲＱ  ＡＣＫ／ＮＡＣＫ、などを含む。
【００４９】
ＰＤＳＣＨは、ユーザデータである。場合によっては複数ユーザで共有する。ユーザデータを復調するためには、ＰＳＣＣＨ内の変調方式やデータ長などの情報が不可欠であり、そのＰＳＣＣＨを復調するためにはＤＰＩＣＨのパイロット信号を用いて伝搬路補償を行なう。
図３は、本発明に適応される上りリンクＰＲＵの構成例を示す図である。上りリンクの無線フレームも下りリンクと同様、各々が所定の周波数帯と時間帯とからなるブロックであり、通信で使用される無線リソース単位であるブロックから構成されている。以下、このブロックを、ＰＲＵ（Ｐｈｙｓｉｃａｌ  Ｒｅｓｏｕｃｅ  Ｕｎｉｔ）と呼称する。ＰＲＵは、２個のＳＢ（Ｓｈｏｒｔ  Ｂｌｏｃｋ）と、６個のＬＢ（Ｌｏｎｇ  Ｂｌｏｃｋ）で構成されている。ＳＢ、ＬＢは、１または複数のサブキャリアに対応する周波数成分としてのサブチャネル、および１または複数のＯＦＤＭシンボルに対応する時間成分としてのサブスロットから定められる。
【００５０】
例えば、上りリンクの全体の帯域（上りンク周波数帯域幅）を５ＭＨｚ、ＰＲＵ帯域幅を１８０ｋＨｚ、サブキャリア周波数帯域幅Ｂｓｃを１５ｋＨｚ、１つの無線フレーム長を１０ｍｓ、サブスロットの長さを２ＳＢ、６ＬＢ（０.５ｍｓ）、ユーザの単位送信時間ＴＴＩ（Ｔｒａｎｓｍｉｓｓｉｏｎ  Ｔｉｍｅ  Ｉｎｔｅｒｖａｌ）を１.０ｍｓ（サブフレーム）、ガード用帯域０．５ＭＨｚとする場合、１つの無線フレームは、周波数軸方向に２５個、時間軸方向に２０個のＰＲＵ、つまり５００個のＰＲＵから構成される。
【００５１】
上記サブフレーム（ＴＴＩ）は、２サブスロットで構成され、１サブフレームには、
（１）ユーザが使用するユーザデータ、
（２）上りリンクデータ関連制御情報（トランスポートブロックサイズなど）
（３）上りリンクデータ非関連制御情報（下りＣＱＩフィードバック、下りＨＡＲＱ  ＡＣＫ・ＮＡＣＫなど）
（４）上りパイロット信号（データ復調用、伝播路環境測定用）
がマッピングされている。
本実施形態においては、システム帯域を５ＭＨｚとして説明するが、１．２５ＭＨｚや１０ＭＨｚや２０ＭＨｚなどの異なるシステム帯域幅であっても適応可能である。また、１０ＭＨｚや２０ＭＨｚのシステム帯域幅の場合は、本実施例で説明する５ＭＨｚ単位で区切った構造でも良いし、本実施形態のパラメータを１０ＭＨｚや２０ＭＨｚに拡張した構造であっても良い。
【００５２】
図４は、本実施形態における下りリンクＰＲＢの構成例を示す図である。ＰＲＢは、Ｂｐｒｂ＝１８０ｋＨｚ、時間方向１サブスロット（０.５ｍｓ）のブロックとして構成されており、５ＭＨｚ内に２５個のＰＲＢを含んでいる。１サブフレームは２つのサブスロット（サブスロット１、サブスロット２）で構成されている。各サブスロットの先頭のＯＦＤＭシンボルに下りリンクパイロットチャネルＤＰＩＣＨが３サブキャリア間隔（Ｃ（ｘ，１）：ｘ＝２，５，８，１１）で配置され、各サブスロットに計１００個ずつ配置されている。下りリンク共用制御チャネルＰＳＣＣＨは、サブスロット１の１番目のＯＦＤＭシンボルのＤＰＩＣＨが使用した領域以外の領域と、２番目，３番目のＯＦＤＭシンボル（Ｃ（ｘ，１）：ｘ≠２，５，８，１１、Ｃ（ｘ，２）：ｘ＝１〜１２、Ｃ（ｘ，３）：ｘ＝１〜１２）を使用する。残りの領域は、下りリンク共用データチャネルＰＤＳＣＨとして使用される。移動局装置に対してリソースを割り当てる際には、サブスロット単位で異なるＰＲＢを割り当てることも考えられるが、制御信号の負荷が大きくなる。よって、サブスロット１のＰＲＢとサブスロット２のＰＲＢは、予めペアが定められ、移動局装置に対するＰＲＢがサブスロット１で指定されれば、サブスロット２のＰＲＢの位置も決定される。例えば、ＰＲＢ１−１とＰＲＢ２−１が予めペアと定められる。すなわち、移動局装置に対するリソースの指定は、最大２５ＰＲＢ分となる。
【００５３】
次に、図５に示す下りリンク共用制御チャネルＰＳＣＣＨ内の制御情報について説明する。ＰＳＣＣＨ内には、下りリンク制御情報と上りリンク制御情報が含まれている。下りリンク制御情報は、Ｃａｔ１，Ｃａｔ２，Ｃａｔ３の３つのカテゴリーに分類される。Ｃａｔ１は、リソースの指定用に使用される情報であり、移動局識別情報、下りリンクデータのリソース割り当て情報が含まれる。Ｃａｔ２、Ｃａｔ３は、移動局装置が基地局装置から受信する際の次のような通信パラメータである。Ｃａｔ２は、各移動局装置に割り当てられたＰＤＳＣＨのトランスポートフォーマットを示す情報であり、変調方式、ペイロードサイズ、ＭＩＭＯ関連情報が含まれる。Ｃａｔ３は、ＨＡＲＱに関する情報であり、非同期ＨＡＲＱの場合はプロセス番号と再送番号、同期ＨＡＲＱの場合は再送番号が含まれる。
【００５４】
上りリンク制御情報も、Ｃａｔ１，Ｃａｔ２，Ｃａｔ３の３つのカテゴリーに分類される。Ｃａｔ１は、リソースの送信許可（ＵＬ  Ｇｒａｎｔ）に使用される情報であり、移動局識別情報、上りデータ送信用のリソース割り当て情報が含まれる。Ｃａｔ２、Ｃａｔ３は、移動局装置が基地局装置へ送信する際の次のような通信パラメータである。Ｃａｔ２は、各移動局装置が上りリンクデータを送信する際のトランスポートフォーマットを指定する情報である。この情報は、上りリンク送信時に移動局装置が選択し、上りリンクデータ関連制御情報に含めて送信することによって削減することも可能である。Ｃａｔ３は、ＨＡＲＱに関する情報であり、上りリンクには同期ＨＡＲＱを使用するため、同期ＨＡＲＱの再送番号が含まれる。ただし、同期ＨＡＲＱのため、予め送信タイミングが定められていれば、この再送番号は、必ずしも送信する必要のある情報ではない。また、上りリンクの送信には、基地局装置と移動局装置の間の距離の変動によって生じる基地局装置までのデータ到達時間の差を各移動局装置で調整するための時間同期処理が必要である。よって上り時間同期信号が上りリンク制御情報に含まれる。
【００５５】
Ｃａｔ１に含まれる移動局識別情報は、基地局装置内で識別可能かつ固有な１６ビットのＣ−ＲＮＴＩ（Ｃｅｌｌ  Ｓｐｅｃｉｆｉｃ  Ｒａｄｉｏ  Ｎｅｔｗｏｒｋ  Ｔｅｍｐｏｒａｒｙ  Ｉｄｅｎｔｉｔｙ）である。Ｃａｔ１に含まれるリソース割り当て情報（ＲＡ）は、図６にて詳述する。
【００５６】
Ｃａｔ２に含まれる変調方式（ＭＣＳ）は、変調方式ＱＰＳＫで符号化率１／８、変調方式ＱＰＳＫで符号化率１／４、変調方式ＱＰＳＫで符号化率１／２、変調方式ＱＰＳＫで符号化率２／３、変調方式１６ＱＡＭで符号化率１／２、変調方式１６ＱＡＭで符号化率２／３、変調方式６４ＱＡＭで符号化率１／２、変調方式６４ＱＡＭで符号化率３／５、変調方式６４ＱＡＭで符号化率２／３、変調方式６４ＱＡＭで符号化率３／４などが選択可能であるが、そのうちの４つを識別するために２ビット使用する。Ｃａｔ２に含まれるペイロードサイズ（ＰＳ）は、ＰＤＳＣＨ内の情報ビット数を示す情報であり、６ビット必要となる。Ｃａｔ２に含まれるＭＩＭＯ関連情報（ＭＡ）は、アンテナ本数やストリームの数やＭＩＭＯ特有の制御情報などが含まれ、さまざまな方法が考えられるが、ここでは、２ビットを想定する。Ｃａｔ３に含まれるＨＡＲＱのプロセス番号（ＨＡＲＱｐ）は、別のＨＡＲＱプロセスを識別するための番号である。Ｃａｔ３に含まれるＨＡＲＱ再送番号（ＲＶ）は、あるＨＡＲＱプロセス内の再送される順番を示す情報であり、Ｒｅｄｕｎｃａｎｃｙ  Ｖｅｒｓｉｏｎと呼ばれる。ＨＡＲＱ再送番号は、２ビットで構成され、このうち特別な番号は、新たなＨＡＲＱプロセスが開始されたことを示すＮｅｗ  Ｄａｔａ  Ｉｎｄｉｃａｔｏｒとして使用される。上りリンク制御信号に含まれる上り時間同期信号（ＴＡ）は、移動局装置の現状の時間同期からの差分を示すために１ビットを使用する。
【００５７】
図４で説明したように、オーバヘッドを考慮するとＰＳＣＣＨは、３ＯＦＤＭシンボル分の領域に収める必要がある。５ＭＨｚ周波数帯域幅で３ＯＦＤＭシンボルの情報量は、ＤＰＩＣＨ用の領域を除いて、以下の式で示すように８００サブキャリア使用可能である。
（１２−４）×２５＋１２×２５×２＝８００サブキャリア
８００サブキャリアを変調方式ＱＰＳＫ、符号化率１／３で符号化した場合、５３３ビットとなる。
【００５８】
図６に、本実施形態におけるＰＳＣＣＨの符号化方法を示す。Ｃａｔ１の情報は、ＰＲＢごとの情報を連結符号化（Ｊｏｉｎｔ  Ｃｏｄｉｎｇ）されるか（図６（ａ））ＰＲＢごとに個別符号化（Ｓｅｐａｒａｔｅ  Ｃｏｄｉｎｇ）され（図６（ｂ））、各移動局装置へのＣａｔ１の情報は、ＰＲＢ用に配置された複数のＳＩＤ（Ｓｈｏｒｔ  ＩＤ）で構成される。例えば、この領域に含められる移動局装置数を８つとすると、８つを識別するための識別子ＳＩＤ（Ｓｈｏｒｔ  ＩＤ）として３ビット必要である。このＳＩＤをＰＲＢ／ＰＲＵ分配置することによって、リソース割り当て情報を構成することが可能である。その場合、２５（ＰＲＢ／ＰＲＵの個数）ｘ３（ＳＩＤ）＝７５ビットとなり、情報量を大幅に削減することが可能である。このＣａｔ１の情報を受信することによって、移動局装置は、続くＣａｔ２，３情報やＰＤＳＣＨの配置位置を検出する。Ｃａｔ２，３情報は、移動局装置それぞれに対して、リンクアダプテーションが可能である。また、全体のリソース割り当て情報量を固定にすることができる。Ｃａｔ２，３の符号化時にＣＲＣが付与される。このＣＲＣには、Ｃ−ＲＮＴＩを使ってＵＥＩＤ  ｍａｓｋｅｄ  ＣＲＣが適用される。
【００５９】
図６の方法は、Ｃａｔ２，３において、各移動局装置の伝播路環境やパスロスに応じて個別に適応変調やパワー制御を適用することが可能である。また、Ｃａｔ１を確認後に、Ｃａｔ２，３を参照する構成のため、移動局装置は複数のＣａｔ２，３情報をデコードする必要はない。また、Ｃａｔ１を確認した後に、Ｃａｔ１に示される情報に対応した位置で、Ｃａｔ２，３の情報を配置することが可能であるため、制御信号のフォーマットに柔軟性を持たせることが可能である。さらに、Ｃａｔ１の情報は、各移動局装置に対するリソース割り当て情報のビット数は、割り当てられたＰＲＢ数に応じて変化するが、全移動局装置に対するトータルのリソース割り当て情報のビット数は固定である。よって、本方法は、移動局装置の増加に伴ってリソース割り当て情報が増加してしまうという問題を解決することができるとともに柔軟性を維持できる。
【００６０】
図１０（ａ）にリソース割り当て情報のフォーマットを示す。リソース割り当て情報は、前述したＳＩＤ（Ｓｈｏｒｔ  ＩＤ）をＰＲＢの個数分だけ配置することによって行う。このリソース割り当て情報をマッピングテーブルと呼ぶ。
このマッピングテーブルは、同じＳＩＤが配置されているＰＲＢは、同一の移動局装置が使用することが示されている。移動局装置はＳＩＤを検出後、ＳＩＤと関連づけされた場所に配置されているＣａｔ２，３とＣ−ＲＮＴＩを受信する。ＳＩＤの番号もしくはＳＩＤの上記マッピングテーブル内の位置によって移動局装置は、Ｃａｔ２，３とＣ−ＲＮＴＩの配置場所を知ることが可能である。Ｃａｔ２，３は、Ｃ−ＲＮＴＩを使ってＵＥＩＤ  ｍａｓｋｅｄ  ＣＲＣが適応される。このマッピングテーブルは、下りリンク制御情報と上りリンク制御情報用に用意されるため、５ＭＨｚ周波数帯域幅のＰＳＣＣＨでＳＩＤ領域が３ビットの場合、リソース割り当て情報は、合計で２５×３×２＝１５０ビットで構成される。
【００６１】
次に、リソース割り当て情報の別の形態について説明する。この形態では、制限されたリソース内でのみユニークな識別子ＳｈｏｒｔＵＥＩＤを割り当てる。予め複数のＰＲＢ（ＰＲＵでも良いがここではＰＲＢとして説明する。）をグループ化し、ＰＲＢＧ（ＰＲＢ  Ｇｒｏｕｐ）を構成する。ＰＲＢＧは、例えば、５ＭＨｚの１ＴＴＩに含まれる２５個のＰＲＢを周波数方向に５分割し、５個のＰＲＢＧを構成し、１ＴＴＩ内の各ＰＲＢＧ内に５個のＰＲＢが含まれるようにする。この場合１無線フレーム内の１ＰＲＢＧには、５ＰＲＢ（周波数方向）×１０ＴＴＩ（時間方向）＝５０ＰＲＢが含まれることになる。また、例えば、時間方向に１０ｍｓの無線フレームを５分割し、５個のＰＲＢＧを構成する。１無線フレーム内の１ＰＲＢＧには、２５ＰＲＢ（周波数方向）×２ＴＴＩ（時間方向）＝５０ＰＲＢが含まれることになる。時間方向の分割と周波数方向の分割を同時に適応して、さらに細かいＰＲＢＧを構成しても良い。
【００６２】
移動局装置は、少なくとも一つ以上のＰＲＢＧに属し、ＰＲＢＧの中のみで識別可能な識別子ＳｈｏｒｔＵＥＩＤを割り当てられる。例えば、図７に示すように、移動局装置１〜５は、ＰＲＢＧ＃１〜ＰＲＢＧ＃４の４個のＰＲＢＧ内で識別可能なＳｈｏｒｔＵＥＩＤを取得する。移動局装置６〜８は、ＰＲＢＧ＃１〜ＰＲＢＧ＃２の２個のＰＲＢＧ内で識別可能なＳｈｏｒｔＵＥＩＤを取得する。移動局装置１２〜１７は、ＰＲＢＧ＃１内で識別可能なＳｈｏｒｔＵＥＩＤを取得する。この場合、１ＰＲＢＧ内で識別すべき移動局装置数は１４となるため、ＳｈｏｒｔＵＥＩＤは、４ビットで構成可能である。
【００６３】
図７で示した各移動局装置に対するＰＲＢＧの割り当てをベースにしたＳｈｏｒｔＵＥＩＤの割り当て例を図８に示す。ＳｈｏｒｔＵＥＩＤの０００１〜０１０１が移動局装置１〜移動局装置５に割り当てられ、ＳｈｏｒｔＵＥＩＤの０１１０〜１０００が移動局装置６〜８に割り当てられ、ＳｈｏｒｔＵＥＩＤの１００１〜１１１０が移動局装置１２〜１７に割り当てられている。移動局装置１〜移動局装置５は、ＰＲＢＧ＃１〜ＰＲＢＧ＃４に属しているため、ＳｈｏｒｔＵＥＩＤの０００１〜０１０１は、ＰＲＢＧ＃１〜ＰＲＢＧ＃４それぞれで有効である。一方、移動局装置１２〜１７に割り当てられたＳｈｏｒｔＵＥＩＤ１００１〜１１１０は、ＰＲＢＧ＃１内でのみ有効であり、ＰＲＢＧ＃２では、他の移動局装置（移動局装置１８〜２３）がＳｈｏｒｔＵＥＩＤ１００１〜１１１０を使用している。
【００６４】
ここでは、ＰＲＢＧ＃１〜ＰＲＢＧ＃４を使用可能な移動局装置（移動局装置１〜５）に対して同じＳｈｏｒｔＵＥＩＤを割り当てるように説明したが、ＰＲＢＧごとに別々のＳｈｏｒｔＵＥＩＤを割り当てることも可能である。
ＳｈｏｒｔＵＥＩＤとＣ−ＲＮＴＩとの対応付けの変更は、通信の開始時や無線ベアラの再セットアップの際に行われ、頻繁には行われない。ＳｈｏｒｔＵＥＩＤを使用する有効性は、１ＴＴＩごとに送信される移動局装置の識別情報に長いビット長のＣ−ＲＮＴＩを使用しないことに起因する。すなわち、ＲＲＣ（Ｒａｄｉｏ  Ｒｅｓｏｕｒｃｅ  Ｃｏｎｔｒｏｌ）シグナリング（Ｌａｙｅｒ３制御信号）によって、各移動局装置が使用可能なＰＲＢＧとそのＰＲＢＧで有効なＳｈｏｒｔＵＥＩＤのセットアップが行われる。
【００６５】
ＶｏＩＰのようなトラフィックは、リアルタイムトラフィックのため、制限された回数のＨＡＲＱしか適用できない。また、変調方式やペイロードサイズの変更も１ＴＴＩごとに変更する必要はない。また、時間周波数的なリソースを無制限に使用する必要はなく、制御情報のオーバヘッド削減を考慮して、ある程度制限されたリソースでスケジューリングされるべきである。このような準固定的なフォーマットのトラフィックと、Ｃａｔ２，３情報をＴＴＩごとに変更する動的なフォーマットのトラフィックを混在させる必要がある。
【００６６】
上記を考慮し、本実施形態では、ＳｈｏｒｔＵＥＩＤを利用することによって効率的なリソース割り当て情報を実現する。図１０（ｂ）にリソース割り当て情報のフォーマットを示す。リソース割り当て情報は、ＳｈｏｒｔＵＥＩＤをＰＲＢの個数分だけ配置することによって行う。これは、前述したＳＩＤ（Ｓｈｏｒｔ  ＩＤ）の変わりにＳｈｏｒｔＵＥＩＤを使用することと同等である。このリソース割り当て情報をマッピングテーブルと呼ぶ。
【００６７】
ＳｈｏｒｔＵＥＩＤは、移動局装置の使用可能なリソースを制限することにより情報ビットを削減しているが、動的なフォーマットのトラフィックに対しては、制限のあるＳｈｏｒｔＵＥＩＤを使用せずＣ−ＲＮＴＩを使用する。Ｃ−ＲＮＴＩを使用する移動局装置に対しては、このＳｈｏｒｔＵＥＩＤは、ＴＴＩ内でＣａｔ２，３情報を取得すべき移動局装置を識別するＳＩＤとしての役割のみとして使用される。Ｃ−ＲＮＴＩを使用しない移動局装置は、ＳｈｏｒｔＵＥＩＤによって、識別可能とする。Ｃ−ＲＮＴＩを使用する移動局装置は、ＳＩＤと関連づけされた場所に配置されているＣａｔ２，３とＣ−ＲＮＴＩを受信する。ＳＩＤの番号もしくはＳＩＤの上記マッピングテーブル内の位置によって移動局装置は、Ｃａｔ２，３とＣ−ＲＮＴＩの配置場所を知ることが可能である。Ｃａｔ２，３は、Ｃ−ＲＮＴＩを使ってＵＥＩＤ  ｍａｓｋｅｄ  ＣＲＣが適応される。このリソース割り当て情報は、下りリンク制御情報と上りリンク制御情報用に用意されるため、５ＭＨｚ周波数帯域幅のＰＳＣＣＨでＳｈｏｒｔＵＥＩＤ／ＳＩＤ領域が４ビットの場合、合計で２５×４×２＝２００ビット使用することとなる。
【００６８】
図９にＳｈｏｒｔＵＥＩＤとＳＩＤの関係について示す。ＳｈｏｒｔＵＥＩＤ／ＳＩＤの０００１〜０１１０は、ＳＩＤとして使用される。ＳｈｏｒｔＵＥＩＤ／ＳＩＤの０１１１〜１１１０は、準固定的フォーマットの移動局装置用のＳｈｏｒｔＵＥＩＤとして使用する。このＳｈｏｒｔＵＥＩＤは、図７、８で説明した少なくとも一つ以上のＰＲＢＧ内でのみ識別可能な識別子である。ＳｈｏｒｔＵＥＩＤと使用可能なＰＲＢＧは、通信開始時や無線リソースの再セットアップ時などに準固定的フォーマットを適用させる移動局装置に対して、ＲＲＣシグナリングによって、割り当てられる。同様に、準固定的フォーマットの移動局装置に対するトランスポートフォーマットの指定は、ＲＲＣシグナリングによって行われる。
【００６９】
準固定的フォーマットの移動局装置に対するＳｈｏｒｔＵＥＩＤや使用可能なＰＲＢＧやトランスポートフォーマット（変調方式、ペイロードサイズ）、ＭＩＭＯ関連情報、ＨＡＲＱ再送方法（再送回数、再送する時間周波数位置）は、頻度の低いシグナリングであるＲＲＣシグナリングによって変更可能である。また、ペイロードサイズなどは、割り当てられたＰＲＢの個数などに関連付けることによって、陽にシグナリングで示す必要性を排除できる。例えばマッピングテーブルにて、ある移動局装置に対して、２つのＰＲＢが割り当てられた場合は、ペイロードサイズは１つのＰＲＢが割り当てられた場合の２倍とする。
【００７０】
図１１にＳｈｏｒｔＵＥＩＤ／ＳＩＤをリソース割り当てに使用した例を示す。ＰＲＢ＃１、ＰＲＢ＃３、ＰＲＢ＃４、ＰＲＢ＃２４用のＳｈｏｒｔＵＥＩＤ／ＳＩＤ領域（ＳｈｏｒｔＵＥＩＤ／ＳＩＤ＃１、ＳｈｏｒｔＵＥＩＤ／ＳＩＤ＃３、ＳｈｏｒｔＵＥＩＤ／ＳＩＤ＃４、ＳｈｏｒｔＵＥＩＤ／ＳＩＤ＃２４）に０００１が配置されている。すなわち、ＳＩＤ＃１の移動局装置は、ＰＲＢ＃１、ＰＲＢ＃３、ＰＲＢ＃４、ＰＲＢ＃２４を使用することが示されている。さらに、ＳＩＤ＃１の移動局装置用のＣａｔ２，３情報は、ＰＲＢ＃１、ＰＲＢ＃３、ＰＲＢ＃４、ＰＲＢ＃２４の位置とＳＩＤ番号（この場合＃１）に関連付けされた位置に配置される。Ｃａｔ２，３は、Ｃ−ＲＮＴＩを使ってＵＥＩＤ  ｍａｓｋｅｄ  ＣＲＣが適応されているため、ＳＩＤ＃１の移動局装置に対するリソースの制限はない。また、ＰＲＢ＃２５用のＳｈｏｒｔＵＥＩＤ／ＳＩＤ領域に００１０が配置されている。すなわち、ＳＩＤ＃２の移動局装置は、ＰＲＢ＃２５を使用することが示されている。
【００７１】
さらに、ＳＩＤ＃２の移動局装置用のＣａｔ２，３情報は、ＰＲＢ＃２５の位置とＳＩＤ番号（この場合＃２）に関連付けされた位置に配置される。  一方、ＰＲＢ＃２、ＰＲＢ＃２３用のＳｈｏｒｔＵＥＩＤ／ＳＩＤ領域には、０１１１が配置されている。ただし、ＰＲＢ＃２とＰＲＢ＃２３はそれぞれＰＲＢＧ＃１，ＰＲＢＧ＃５に属しているため、異なる移動局装置が割り当てられていることを示している。すなわち、ＰＲＢＧ＃１を使用可能なＳｈｏｒｔＵＥＩＤ＃７の移動局装置は、ＰＲＢ＃２を使用すること、ＰＲＢＧ＃５を使用可能なＳｈｏｒｔＵＥＩＤ＃７の移動局装置は、ＰＲＢ＃２３を使用することが示されている。
【００７２】
Ｃａｔ２，３の情報の中には、リソース割り当て情報が含まれないため、下りリンク制御信号の各移動局装置に対する情報ビットは、以下の式に示すように３１ｂｉｔｓとなる。
１６（Ｃ−ＲＮＴＩ）＋２（ＭＣＳ）＋２（ＭＡ）＋６（ＰＳ）＋３（ＨＡＲＱｐ）＋２（ＲＶ）＝３１ｂｉｔｓ
また、上りリンク制御信号の各移動局装置に対する情報ビットは、以下の式に示すように２９ｂｉｔｓとなる。
１６（Ｃ−ＲＮＴＩ）＋２（ＭＣＳ）＋２（ＭＡ）＋６（ＰＳ）＋２（ＲＶ）＋１（ＴＡ）＝２９ｂｉｔｓ
【００７３】
図６の場合、全移動局装置に対する情報ビットは、リソース割り当て情報については、
４（ＳｈｏｒｔＵＥＩＤ／ＳＩＤ）×２５（ＰＲＢ数）×２（下り／上り）＝２００ｂｉｔｓ
Ｃａｔ２，３については、
３１×６＋２９×５＝３３１ｂｉｔｓ
となる。
よって、動的フォーマットの移動局装置については、下りリンクに６移動局装置、上りリンクに５移動局装置がスケジューリング可能であることが分かる。
【００７４】
すなわち、ＳｈｏｒｔＵＥＩＤを使用した準固定的フォーマットとＳＩＤを使用した動的フォーマットのあわせて最大２５移動局装置を上りリンクおよび下りリンクでスケジューリング可能でありながら、動的フォーマットの移動局装置に割り当て可能な最大数も維持されている。このフォーマットは、各移動局装置のリソース割り当て情報のビット数は、可変であり、トータルのリソース割り当て情報のビット数は固定である。すなわち、このフォーマットは、Ｃａｔ２，３の領域を使用しない場合には、Ｃａｔ２，３の領域を通常のＰＤＳＣＨとして使用することが可能となり、Ｃａｔ２，３の領域を常に保持する必要がない。
【００７５】
また、下りリンクの制御情報に対してのみＳｈｏｒｔＵＥＩＤ／ＳＩＤを使用し、上り制御情報（上りのリソース割り当て情報）は、連続するＰＲＵの開始ブロック番号と終了ブロック番号で構成して、移動局装置毎に４（開始ブロック番号）＋４（終了ブロック番号）の８ビットを使用した場合には、図６の場合、全移動局装置に対する情報ビットは、リソース割り当て情報については
４（ＳｈｏｒｔＵＥＩＤ／ＳＩＤ）×２５（ＰＲＢ数）×１（下り）＝１００ｂｉｔｓ
Ｃａｔ２，３＋上り制御情報については、
（３１＋３７）×６＝４０８ｂｉｔｓ
となる。
よって、動的フォーマットの移動局装置については、下りリンク、上りリンクそれぞれ６移動局装置がスケジューリング可能であることが分かる。すなわち、ＳｈｏｒｔＵＥＩＤを使用した準固定的フォーマットとＳＩＤを使用した動的フォーマットのあわせて最大２５移動局装置を下りリンクでスケジューリング可能でありながら、動的フォーマットの移動局装置に割り当て可能な最大数も維持されている。
【００７６】
図６（ｂ）の場合のリソース割り当て情報の物理的な配置方法を図１２に示す。図１２（ａ）では、分散されたサブキャリアを一つのグループとして、このグループ毎に１ＰＲＢに対応するＳｈｏｒｔＵＥＩＤ／ＳＩＤの情報を含む。ＳｈｏｒｔＵＥＩＤ／ＳＩＤのサイズが４ビットの場合、符号化率が１／３、変調方式が ＱＰＳＫで６サブキャリア必要である。すなわち、１ＰＲＢに対するＳｈｏｒｔＵＥＩＤ／ＳＩＤとして、６サブキャリアが使用される。例えば、２５サブキャリア間隔で２５個のＳｈｏｒｔＵＥＩＤ／ＳＩＤを配置する。５ＭＨｚでは、１ＯＦＤＭシンボルに３００サブキャリア含まれるため、全体の半分の１５０サブキャリアをＳｈｏｒｔＵＥＩＤ／ＳＩＤに使用することになる。ここでは、１サブキャリア単位での分散を示したが、このリソース割り当て情報は、複数サブキャリア単位での分散で構成されても良い。例えば、２サブキャリアグループ単位での分散の場合、２サブキャリア×３サブキャリアで１ＰＲＢ用の情報を構成し、２５サブキャリアグループ間隔で２５個のＳｈｏｒｔＵＥＩＤ／ＳＩＤを配置する。どちらの場合も１ＰＲＢに対応するサブキャリア数は、６である。また、２５個のＰＲＢに対するＳｈｏｒｔＵＥＩＤ／ＳＩＤを符号多重する方法も考えられる。ここで重要なのは、ＰＲＢの物理配置とＳｈｏｒｔＵＥＩＤ／ＳＩＤの物理配置が１対１対応付けされていて、ＳｈｏｒｔＵＥＩＤ／ＳＩＤの配置がＰＲＢの割り当てを意味することである。
【００７７】
図１２（ｂ）は、連結されたサブキャリアを一つのグループとして、１ＰＲＢに対応するＳｈｏｒｔＵＥＩＤ／ＳＩＤの情報を含む。例えば、５ＭＨｚでは、連続する６サブキャリアで１ＰＲＢ用の情報を構成し、２５個のＳｈｏｒｔＵＥＩＤ／ＳＩＤを配置する。
図１３にＳＩＤで指定された移動局装置に対するＣａｔ２，３の情報の配置方法を示す。図１３（ａ）は、Ｃａｔ１で１つの移動局装置に割り当てられたＰＲＢ群に分散するようにＣａｔ２，３を配置する方法である。図１３（ｂ）は、Ｃａｔ１で１つの移動局装置に割り当てられたＰＲＢ群の先頭のＰＲＢにＣａｔ２，３を配置する方法である。
図６（ｂ）の場合のリソース割り当て情報の物理的な配置方法は、上記の図１２の配置において、ＰＲＢごとに分離することなく、複数のサブキャリアをまとめてＣａｔ１情報として符号化する方法である。
【００７８】
次に、リソース割り当て情報の別の形態として、ＳｈｏｒｔＵＥＩＤを使用する移動局装置に対して、付加的な制御情報を準備する場合について説明する。ここまでの説明では、準固定的な移動局装置に対するトランスポートフォーマットやＨＡＲＱ再送方法は、ＲＲＣシグナリングで変更していたが、これらのパラメータの一部は、ＰＳＣＣＨによって動的に変更可能とする。どのパラメータを付加的な制御情報として配置するかは、ＲＲＣシグナリングによって決定される。この付加的な制御情報をＬＴＦＳ（Ｌｉｍｉｔｅｄ  Ｔｒａｎｓｐｏｒｔ  Ｆｏｒｍａｔ  Ｓｅｔ）と呼ぶ。図１４に示すように、上記マッピングテーブル内のＰＲＢ毎の情報をＳｈｏｒｔＵＥＩＤ／ＳＩＤと２ビットのＬＴＦＳで構成する。
【００７９】
例えば、ある移動局装置Ａに対する下りリンク制御情報のＬＴＦＳを同期ＨＡＲＱのＲＶとして使用する場合、移動局装置Ａが使用するＰＲＢがＰＲＢ＃２の場合、ＳｈｏｒｔＵＥＩＤ／ＳＩＤ＃２に移動局装置ＡのＳｈｏｒｔＵＥＩＤを配置すると共に、ＬＴＦＳ＃２に同期ＨＡＲＱのＲＶを配置する。
このＬＴＦＳは、移動局装置ごとに設定が可能であり、変調方式やペイロードサイズの変更の自由度を制限し、２ビットで４状態を表現し、４つのトランスポートフォーマットセットを選択できるようにする。  もしくは、現在の状態との差分を示す情報として構成しても良い。例えば、変調方式を１６ＱＡＭから６４ＱＡＭに変更する場合にはプラス１を示す情報、１６ＱＡＭからＱＰＳＫに変更する場合にはマイナス１を示す情報をＬＴＦＳに含める。
【００８０】
ＬＴＦＳは、ＰＲＢ毎に配置されているため、複数のＰＲＢを割り当てられた移動局装置に対しては、割り当てられたＰＲＢ数倍のＬＴＦＳが使用可能である。その場合には、割り当てられたＰＲＢ数×ＬＴＦＳの情報は、一つの情報とみなされ、トランスポートフォーマットの変更情報として使用される。例えば、移動局装置Ａが、ＰＲＢ＃２とＰＲＢ＃４を割り当てられた場合、すなわち、ＳｈｏｒｔＵＥＩＤ／ＳＩＤ＃２とＳｈｏｒｔＵＥＩＤ／ＳＩＤ＃４に移動局装置Ａに対するＳｈｏｒｔＵＥＩＤが割り当てられていた場合、ＬＴＦＳ＃２とＬＴＦＳ＃４をまとめた４ビットが、一つの情報とみなされ、トランスポートフォーマットの変更情報として使用される。例えば、２ビットが、ＲＶとして使用され、２ビットが、制限された４種類のペイロードサイズの指定に使用される。
【００８１】
一方、ＳＩＤを使用する動的フォーマットの移動局装置も、ＬＴＦＳを使用可能である。ＳＩＤを使用する動的フォーマットの移動局装置に対しては、Ｃａｔ２，３の一部をＬＴＦＳに配置する。ＬＴＦＳのビット数が２ビットの場合は、Ｃａｔ２，３のＣＲＣ以外の情報のうち２ビットをＬＴＦＳ領域に配置し、残りを図１３で示したＣａｔ２，３領域に配置する。
図１５にＬＴＦＳをリソース割り当てに使用した例を示す。ＰＲＢ＃１、ＰＲＢ＃３、ＰＲＢ＃２４、ＰＲＢ＃２５用のＳｈｏｒｔＵＥＩＤ／ＳＩＤ領域（ＳｈｏｒｔＵＥＩＤ／ＳＩＤ＃１、ＳｈｏｒｔＵＥＩＤ／ＳＩＤ＃３、ＳｈｏｒｔＵＥＩＤ／ＳＩＤ＃２４、ＳｈｏｒｔＵＥＩＤ／ＳＩＤ＃２５）に０００１が配置されている。すなわち、ＳＩＤ＃１の移動局装置は、ＰＲＢ＃１、ＰＲＢ＃３、ＰＲＢ＃２４、ＰＲＢ＃２５を使用することが示されている。ＳＩＤ＃１の移動局装置用のＣａｔ２，３情報は、ＬＴＦＳ＃１、ＬＴＦＳ＃２、ＬＴＦＳ＃２４、ＬＴＦＳ＃２５に、８ビット分が配置され、残りのＣａｔ２，３情報は、ＰＲＢ＃１、ＰＲＢ＃３、ＰＲＢ＃２４、ＰＲＢ＃２５の位置とＳＩＤ番号（この場合＃１）に関連付けされた位置に配置される。一方、ＰＲＢ＃２用のＳｈｏｒｔＵＥＩＤ／ＳＩＤ領域には、０１１１が配置されている。ＳｈｏｒｔＵＥＩＤ＃７の移動局装置は、ＰＲＢ＃２を使用すること、ＬＴＦＳ＃２で示された情報をフォーマットの変更情報として使用することが示されている。
【００８２】
図６の場合、全移動局装置に対する情報ビットは、リソース割り当て情報については、
（４（ＳｈｏｒｔＵＥＩＤ／ＳＩＤ）＋２（ＬＴＦＳ））×２５（ＰＲＢ数）×２（下り／上り）＝３００ｂｉｔｓ
Ｃａｔ２，３については、
（３１−２＋２９−２）×４＝２２４ｂｉｔｓ
となる。
【００８３】
よって、動的フォーマットの移動局装置については、下りリンク、上りリンクそれぞれ３〜４移動局装置がスケジューリング可能であることが分かる。すなわち、ＳｈｏｒｔＵＥＩＤを使用した準固定的フォーマットとＳＩＤを使用した動的フォーマットのあわせて最大２５移動局装置を上りリンクおよび下りリンクでスケジューリング可能であり、さらに、準固定的フォーマットの移動局装置は、ＬＴＦＳの範囲内でフォーマット変更が可能である。本方式は、動的フォーマットの移動局装置数を削減するものの、準固定的フォーマットの移動局装置に対してフォーマットの柔軟性を向上させている。
【００８４】
図１６を参照して、移動局装置へのＰＳＣＣＨフォーマット設定手順を説明する。ここでＰＳＣＣＨフォーマットとは、移動局装置が動的フォーマットであるか準固定的フォーマットであるか、さらに、動的フォーマット、準固定的フォーマットそれぞれに対する設定情報で構成される。準固定的フォーマットに対する設定情報は、使用可能なＰＲＢＧ群、ＰＲＢＧ群に対応したＳｈｏｒｔＵＥＩＤ群、準固定的に変動させるＰＤＳＣＨ／ＰＵＳＣＨのトランスポートフォーマット（上りおよび下りのＣａｔ２，Ｃａｔ３の情報）、準固定的フォーマットにおけるＬＴＦＳの意味づけなどである。動的フォーマットに対する設定情報は、使用可能なＰＲＢＧ群、使用可能なＳＩＤ群などである。使用可能なＰＲＢＧ群では、動的フォーマットの移動局装置に対しても、間欠送受信などの設定を行うため、時間周波数的に有効なＰＲＧの指定を行う。また、使用可能なＳＩＤ群では、ＳｈｏｒｔＵＥＩＤ／ＳＩＤ領域で使用されるどの識別子がＳＩＤとして使用可能であるかが示される。
【００８５】
基地局装置は、通信を開始する場合（無線ベアラセットアップ時、発信時、着信時）や、通信中にＰＳＣＣＨフォーマットの変更を行う場合に（Ｓａ１）、移動局装置に対して、ＲＲＣシグナリングを使用して、ＰＳＣＣＨフォーマット設定信号を送信する（Ｓａ２）。移動局装置は、指定されたＰＳＣＣＨフォーマットを保持し（Ｓａ４）、次回以降のＰＳＣＣＨ、ＰＤＳＣＨ、ＰＵＳＣＨの送受信の方法として使用する。基地局装置は、各移動局装置に対するＰＳＣＣＨフォーマット設定を保持し（Ｓａ３）、次回以降のＰＳＣＣＨ、ＰＤＳＣＨ、ＰＵＳＣＨの送受信の方法として使用する。
【００８６】
図１７を参照して、１ＴＴＩ内のスケジューリングの手順の概要について説明する。基地局装置はＴＴＩの先頭でＳｈｏｒｔＵＥＩＤ／ＳＩＤとＬＴＦＳ（図１４のフォーマットを使用する場合）を送信する（Ｓｂ１）。移動局装置は、ＳｈｏｒｔＵＥＩＤ／ＳＩＤを検出し、自局へＰＲＢ／ＰＲＵの割り当てを検出する（Ｓｂ２）。基地局装置は、動的フォーマットの移動局装置に対して、図１３で示した領域にＣａｔ２，３を送信する（Ｓｂ３）。動的フォーマットの移動局装置は、Ｃａｔ２，３を検出し、ＣＲＣのチェックを行う（Ｓｂ４）。ＣＲＣチェックで自局のＣ−ＲＮＴＩを検出した動的フォーマットの移動局装置は、下りリンクについては、基地局装置が送信し（Ｓｂ５）、自装置に割り当てられたＰＲＢ内のＰＤＳＣＨのデコードを行う（Ｓｂ６）、上りリンクについては、ＰＵＳＣＨの無線パケットを生成して（Ｓｂ７）、割り当てられたＰＲＵ内で送信する（Ｓｂ８）。
ここでは、手順を概念的に示したが、実際には１ＴＴＩは連続したＯＦＤＭシンボルで構成されており基地局装置からＳｂ１，Ｓｂ３，Ｓｂ５は連続した情報として送信される。また、基地局装置と移動局装置との間には、到達時間によるタイムラグがある。また、ＰＳＣＣＨで示されるＰＲＵ割り当ては、予め定められたインターバル後のＰＲＵである。
【００８７】
図１８を参照して、１ＴＴＩ内の移動局装置の処理手順の詳細について説明する。移動局装置は、あるＴＴＩにおいて自身の使用可能なＰＲＢが含まれるかどうかを判断する（Ｓｃ１）。これは、図１６で説明したＰＳＣＣＨフォーマット設定によって設定された使用可能なＰＲＢによって判断される。使用可能なＰＲＢが含まれない場合は、このＴＴＩでの処理を終えて、処理するＴＴＩのナンバーを更新して（Ｓｃ１２）、ステップＳｃ１に戻る。使用可能なＰＲＢが含まれる場合には、移動局装置は、このＴＴＩにおけるＰＳＣＣＨのフォーマットが動的フォーマットであるか準固定的フォーマットであるかを判断する（Ｓｃ２）。動的フォーマットの場合、移動局装置は、ＳｈｏｒｔＵＥＩＤ／ＳＩＤフィールド内でＰＳＣＣＨフォーマットによって定められたＳＩＤを受信する（Ｓｃ３）。ＳＩＤの受信は、ＰＲＢ数分配置されたＳｈｏｒｔＵＥＩＤ／ＳＩＤフィールド内に配置されたＳＩＤの一部又はすべてを受信する。
【００８８】
ＳＩＤを検出した場合には（Ｓｃ４）、ＳＩＤで示されるＰＲＢ内のＣａｔ２，３を受信する（Ｓｃ５）。Ｃａｔ２，３の受信におけるＣＲＣチェックで自局のＣ−ＲＮＴＩを検出した移動局装置は（Ｓｃ６）、ＰＤＳＣＨ／ＰＵＳＣＨの送受信を行う（Ｓｃ７）。ＣＲＣチェックで自局のＣ−ＲＮＴＩを検出できなかった移動局装置は（Ｓｃ６）、ＰＳＣＣＨフォーマットによって定められた検出すべきＳＩＤのすべてのＳＩＤを検出したかどうかを判断し（Ｓｃ８）、すべてのＳＩＤを検出した場合は、このＴＴＩでの処理を終えて、処理するＴＴＩのナンバーを更新して（Ｓｃ１２）、ステップＳｃ１に戻る。すべてのＳＩＤを検出していない場合は（Ｓｃ８）、検出すべきＳＩＤを更新し（Ｓｃ９）、ステップＳｃ３に戻って再度、ＳＩＤの検出処理を行う。
【００８９】
一方、ステップＳｃ２の判定結果が準固定的フォーマットの場合、移動局装置は、ＳｈｏｒｔＵＥＩＤ／ＳＩＤフィールド内でＰＳＣＣＨフォーマットによって定められたＳｈｏｒｔＵＥＩＤを受信する（Ｓｃ１０）。ＳＩＤの受信は、ＰＲＢ数分配置されたＳｈｏｒｔＵＥＩＤ／ＳＩＤフィールド内に配置されたＳｈｏｒｔＵＥＩＤの一部又はすべてを受信する。ＳｈｏｒｔＵＥＩＤを検出した場合には（Ｓｃ１１）、ＰＤＳＣＨ／ＰＵＳＣＨの送受信を行い（Ｓｃ７）、このＴＴＩでの処理を終えて、処理するＴＴＩのナンバーを更新して（Ｓｃ１２）、ステップＳｃ１に戻る。ＳｈｏｒｔＵＥＩＤを検出できなかった場合は、このＴＴＩでの処理を終えて、処理するＴＴＩのナンバーを更新して（Ｓｃ１２）、ステップＳｃ１に戻る。準固定的フォーマットの移動局装置は、ＰＳＣＣＨでのＣＲＣチェックができないためＰＤＳＣＨでのＣＲＣチェックで代用する。
各移動局装置は、複数のサービスを同時に利用する際など、複数の無線ベアラを使用する場合がある。その場合、各移動局装置は、動的フォーマットおよび準固定的フォーマットの両方を使用する場合がある。その場合、動的フォーマットの処理手順と準固定的フォーマット処理手順の両方を実行する。
【００９０】
図１９を参照して、１ＴＴＩ内の基地局装置の処理手順の詳細について説明する。基地局装置は、あるＴＴＩにおいてスケジューリング可能な移動局装置の検出を行う（Ｓｄ１）。これは、図１６で説明したＰＳＣＣＨフォーマット設定によって設定された割り当て可能なＰＲＢによって判断される。スケジューリング可能な移動局装置が含まれない場合は、このＴＴＩでの処理を終える。次に、基地局装置は、スケジューリング可能な移動局装置の中から、優先度の高い移動局装置を選定する（Ｓｄ２）。優先度は、各移動局装置の伝搬路状況、バッファ状況、サービスクラス、ＱｏＳなどから判断する。選定された移動局装置に対して、割り当てるべきＰＲＢ／ＰＲＵを判断し周波数スケジューリングを行う（Ｓｄ３）。決定された各移動局装置への割り当てＰＲＢ／ＰＲＵと各移動局装置へ使用すべきＳｈｏｒｔＵＥＩＤまたはＳＩＤの決定を行い、マッピングテーブルを生成する（Ｓｄ４）。さらに、動的フォーマットの移動局装置に対しては、Ｃａｔ２，３を配置する（Ｓｄ５）。それぞれの移動局装置に対して決定された符号化方式で符号化されたＰＤＳＣＨをマッピングテーブルにあわせて配置する（Ｓｄ６）。以降、次のＴＴＩに移って（Ｓｄ７）、ステップＳｄ１から繰り返す。
各移動局装置は、複数のサービスを同時に利用する際など、複数の無線ベアラを使用する場合がある。その場合、各移動局装置は、動的フォーマットおよび準固定的フォーマットの両方を使用する場合がある。その場合、基地局装置は、動的フォーマットの移動局装置用の処理手順と準固定的フォーマットの移動局装置用の処理手順の両方を実行する。
【００９１】
図２０は、移動局装置（端末装置）の構成を示すブロック図であり、図２１は基地局装置の構成を示すブロック図である。
図２０において、移動局装置は、送信部２０１と、無線リソース制御部２０２と、無線制御部２０３と、スケジューリング部２０４と、受信部２０５と、無線部２０６とから構成される。
また、送信部２０１は、データ制御部２１１、データ変調部２１２、ＤＦＴ−Ｓ−ＯＦＤＭ変調部２１３からなり、受信部２０５は、チャネル推定部２２１と、ＯＦＤＭ復調部２２２と、データ復調部２２３と、制御データ抽出部２２４とから構成される。
【００９２】
データ制御部２１１は、送信データまたは制御データを入力され、スケジューリング部２０４からの指示により、上りリンクデータ関連制御情報、上りリンクデータ非関連制御情報、ユーザデータをＰＲＵで送られるように配置する。
データ変調部２１２は、スケジューリング部２０４から渡されたＭＣＳ情報の変調方式の符号化方式を用いて制御データ及び送信データを変調する。
【００９３】
ＤＦＴ−Ｓ−ＯＦＤＭ変調部２１３は、データ変調された送信データまたは制御データを入力し、入力信号の直列／並列変換、拡散符号及びスクランブリングコードを乗算し、ＤＦＴ変換、サブキャリアマッピング処理、ＩＦＦＴ（Inverse Fast Fourier Transform）変換、ＣＰ（Cyclic Prefix）挿入、フィルタリングなどのＤＦＴ−ｓｐｒｅａｄ  ＯＦＤＭ信号処理を行い、ＤＦＴ−ｓｐｒｅａｄ  ＯＦＤＭ信号を生成する。
上りリンクの通信方式は、ＤＦＴ−ｓｐｒｅｄ  ＯＦＤＭやＶＳＣＲＦ−ＣＤＭＡのようなシングルキャリア方式を想定しているが、ＯＦＤＭ方式のようなマルチキャリア方式でもかまわない。
【００９４】
無線部２０６は、無線制御部２０３から指示された無線周波数に設定し、変調されたデータを無線周波数にアップコンバートして、基地局装置に送信する。
また、無線部２０６は、基地局装置からの下りリンクのデータを受信し、ベースバンド信号にダウンコンバートして、受信データをＯＦＤＭ復調部に渡す。
チャネル推定部２２１は、下りリンクパイロットチャネルＤＰＩＣＨから無線伝搬路特性を推定し、ＯＦＤＭ復調部２２２に推定結果を渡す。また、基地局装置に無線伝搬路推定結果を通知するためにＣＱＩ情報に変換し、データ制御部２１１、スケジューリング部２０４にＣＱＩ情報を渡す。
【００９５】
ＯＦＤＭ復調部２２２は、ＣＰ除去、フィルタリング、ＦＦＴ変換などのＯＦＤＭ信号処理を行い、チャネル推定部２２１の下りリンク無線伝搬路推定結果からＯＦＤＭ信号を復調する。
データ復調部２２３は、制御データ抽出部２２４から抽出した下りリンクのＭＣＳ情報から受信データを復調する。
制御データ抽出部２２４では、無線リソース制御部２０２から指示されたＰＳＣＣＨフォーマットを使って図１８で示した手順で、受信データをユーザデータを含んだＰＤＳＣＨと制御データを含んだＰＳＣＣＨとに分離する。また、制御データ抽出部２２４は、ＰＤＳＣＨ中のＲＲＣシグナリングを抽出して、無線リソース制御部２０２に送る。制御データ抽出部２２４のＰＳＣＣＨ受信制御部２２５は、ＰＳＣＣＨからマッピングテーブル（割り当て情報）、自装置に対応するＳＩＤおよび上りと下りのＣａｔ２，３制御情報を抽出する。
【００９６】
さらにＰＳＣＣＨ受信制御部２２５は、自装置に対応するＳｈｏｒｔＵＥＩＤと使用可能なＰＲＢＧとＣａｔ２，３制御情報とを無線リソース制御部２０２のＰＳＣＣＨフォーマット管理部２０７から取得して、マッピングテーブルのうち下りの情報から自装置に割り当てられているＰＲＢを検出する。検出結果に従い、ＰＳＣＣＨ受信制御部２２５は、下りＣａｔ２，３制御情報中の下りリンクのＭＣＳ情報をデータ復調部２２３に送るとともにＯＦＤＭ復調部２２２に受信するＰＲＢの指示を行う。また、ＰＳＣＣＨ受信制御部２２５は、上りＣａｔ２，３制御情報中の上りリンクのＭＣＳ情報とマッピングテーブルのうち上りの情報と自装置に対応するＳＩＤとを、スケジューリング部２０４に渡す。
【００９７】
スケジューリング部２０４は、制御データ抽出部２２４のＰＳＣＣＨ受信制御部２２５から基地局装置上りリンクのＭＣＳ情報とマッピングテーブルと自装置に対応するＳＩＤとを受け、さらに自装置に対応するＳｈｏｒｔＵＥＩＤと使用可能なＰＲＵＧとＣａｔ２，３制御情報とを無線リソース制御部２０２のＰＳＣＣＨフォーマット管理部２０７から取得して、自装置に割り当てられているＰＲＵを検出し、実際に移動局装置が送信データや制御データを物理チャネルにマッピングを行うために、データ制御部２１１とデータ変調部２１２およびＤＦＴ−Ｓ−ＯＦＤＭ変調部２１３に送信データおよび制御データを送信するための指示を行う。
なお、本実施形態では、スケジューリング部２０４と制御データ抽出部２２４とで、割り当て受信手段として機能する。
【００９８】
無線リソース制御部２０２は、移動局装置の無線フレームにおける使用可能なＰＲＢや間欠送受信サイクル、ＰＳＣＣＨフォーマットなどを管理する。また、送信部２０１、受信部２０５に対して、ＰＳＣＣＨフォーマットなどの管理情報を渡し、移動局装置全体の制御を行う。また、無線リソース制御部２０２は、制御データ抽出部２２４からＲＲＣシグナリングを受ける。無線リソース制御部２０２のＳｈｏｒｔＵＥＩＤ検出部（準固定識別対応受信手段）２０８は、受けたＲＲＣシグナリングから自装置のＣ−ＲＮＴＩに対応するＳｈｏｒｔＵＥＩＤと使用可能なＰＲＢＧ，ＰＲＵＧとを抽出して、これらを対応付けてＰＳＣＣＨフォーマット管理部（対応記憶手段）２０７に格納する。また、無線リソース制御部２０２の通信パラメータ検出部（準固定的通信パラメータ受信手段）２０９は、ＳｈｏｒｔＵＥＩＤ検出部２０８が、自装置に対応するＳｈｏｒｔＵＥＩＤを検出したときは、受けたＲＲＣシグナリングから自装置に対応するＣａｔ２，３制御情報を抽出して、ＳｈｏｒｔＵＥＩＤ検出部２０８が格納したＳｈｏｒｔＵＥＩＤに対応付けてＰＳＣＣＨフォーマット管理部２０７に格納する。
【００９９】
図２１において、基地局装置は、データ制御部１０１と、データ変調部１０２と、ＯＦＤＭ変調部１０３と、スケジューリング部１０４と、チャネル推定部１０５と、ＤＦＴ−Ｓ−ＯＦＤＭ復調部１０６と、データ復調部１０７と、制御データ抽出部１０８と、無線部１０９、無線リソース制御部１１０、ＲＲＣシグナリング部１１１とから構成される。
また、スケジューリング部１０４は、下りリンクのスケジューリングを行うＤＬスケジューリング部１１２と上りリンクのスケジューリングを行うＵＬスケジューリング部１１３から構成される。スケジューリング部１０４は、これらのスケジューリング、すなわちＰＲＢおよびＰＲＵへの移動局装置の割り当ての結果を表すマッピングテーブルを生成する。このマッピングテーブルでは、移動局装置を、ＳＩＤ、あるいは、無線リソース制御部１１０のＰＳＣＣＨフォーマット管理部１１５から取得したＳｈｏｒｔＵＥＩＤを用いて表しており、スケジューリング部１０４は、ＳＩＤと移動局装置との対応付けを、スケジューリングの際に行う。スケジューリング部１０４は、生成したマッピングテーブルと、ＳＩＤ（動的割り当て用一時端末識別情報）とＣ−ＲＮＴＩ（静的端末識別情報）との対応関係を表す情報と、Ｃａｔ２，３制御情報とをデータ制御部１０１に出力する。
【０１００】
データ制御部１０１は、各移動局装置ｎへの送信データと制御データとＲＲＣシグナリングによる送信情報とを入力され、スケジューリング部１０４からの指示により制御データをＣＣＰＣＨ、ＳＣＨ、ＰＣＨ、ＤＰＩＣＨ、ＰＳＣＣＨにマッピングし、各移動局装置ｎに対する送信データおよびＲＲＣシグナリングによる送信情報をＰＤＳＣＨにマッピングする。特に、ＰＳＣＣＨに対しては、ＰＳＣＣＨ生成制御（割り当て通知手段）１１４によって、スケジューリング部１０４から受信した周波数スケジューリング情報を元に、マッピングテーブル（割り当て情報）、マッピングテーブルにて用いたＳＩＤとＣ−ＲＮＴＩとの対応関係を表す情報（動的端末対応情報）、Ｃａｔ２，３制御情報（通信パラメータ）などのマッピングを行う。
【０１０１】
データ変調部１０２は、スケジューリング部１０４から渡されたＭＣＳ情報のデータ変調方式、符号化方式を用いてデータ変調する。
ＯＦＤＭ変調部１０３は、入力信号の直列／並列変換、ＩＦＦＴ変換、ＣＰ挿入、フィルタリングなどＯＦＤＭ信号処理を行い、ＯＦＤＭ信号を生成する。
無線部１０９は、ＯＦＤＭ信号を無線周波数にアップコンバートして、移動局装置に送信する。また、無線部１０９は、移動局装置ｎからの上りリンクのデータを受信し、ベースバンド信号にダウンコンバートして、受信データをＤＦＴ−Ｓ−ＯＦＤＭ復調部１０６とチャネル推定部１０５に渡す。
【０１０２】
チャネル推定部１０５は、上りパイロット信号から無線伝搬路特性を推定し、ＤＦＴ−Ｓ−ＯＦＤＭ復調部１０６に推定結果を渡す。また、上りリンクのスケジューリングを行うために無線伝搬路推定結果をスケジューリング部１０４に渡す。
ＤＦＴ−Ｓ−ＯＦＤＭ復調部１０６は、フィルタリング、ＣＰ除去、ＤＦＴ処理、ＩＦＦＴ処理を行い、チャネル推定部の無線伝搬路推定結果からＤＦＴ−Ｓ−ＯＦＤＭ復調する。
データ復調部１０７は、制御データ抽出部１０８から抽出した下りリンクのＭＣＳ情報から受信データを復調する。
【０１０３】
制御データ抽出部は、受信データをユーザデータ（ＰＵＳＣＨ）と制御データ（上りリンクデータ関連制御情報、上りリンクデータ非関連制御情報）に分離し、上位層に渡す。制御データの中で上りリンクのＭＣＳ情報はデータ復調部１０７に送られ、下りリンクのＣＱＩ情報はスケジューリング部１０４に渡される。
スケジューリング部１０４のＤＬスケジューリング部１１２は、移動局装置ｎから通知されるＣＱＩ情報や無線リソース制御部１１０から通知される各移動局装置の無線フレームにおける使用可能なＰＲＢや間欠送受信サイクル、ＰＳＣＣＨフォーマット、バッファ状況などの制御情報から、下りリンクの各チャネルにユーザデータをマッピングするためのスケジューリングや各データを変調するためのＭＣＳを算出する。
【０１０４】
また、ＵＬスケジューリング部１１３は、チャネル推定部１０５から通知される上りリンクの無線伝搬路推定結果と移動局装置ｎからのリソース割り当て要求、無線リソース制御部から通知される各移動局装置の無線フレームにおける使用可能なＰＲＵや間欠送受信サイクル、ＰＳＣＣＨフォーマット、バッファ状況など制御情報から、上りリンクの各チャネルにユーザデータをマッピングするためのスケジューリングや各データを変調するためのＭＣＳを算出する。
【０１０５】
無線リソース制御部１１０は、ＰＳＣＣＨフォーマット管理部１１５、ＳｈｏｒｔＵＥＩＤ通知部１１６、通信パラメータ通知部１１７を具備し、入力された制御情報に従い、ＰＳＣＣＨフォーマット管理部１１５の記憶内容を更新し、各移動局装置の無線リソース制御部との間で、ＲＲＣシグナリングを使って、ＰＳＣＣＨフォーマット設定の管理を行う。また、スケジューリング部に対して、各移動局装置の無線フレームにおける使用可能なＰＲＢや間欠送受信サイクル、ＰＳＣＣＨフォーマット、バッファ状況などの制御情報を通知する。
ＰＳＣＣＨフォーマット管理部（対応記憶手段）１１５は、ＳｈｏｒｔＵＥＩＤ（準固定的割り当て用一時端末識別情報）と、Ｃ−ＲＮＴＩ（静的端末識別情報）と、該ＳｈｏｒｔＵＥＩＤを使用可能なＰＲＢＧ，ＰＲＵＧ（ブロック群）と、Ｃａｔ２，３制御情報（通信パラメータ）とを対応付けて記憶している。また、ＰＳＣＣＨフォーマット管理部１１５は、各ＳＩＤと該ＳＩＤを使用可能なＰＲＢＧ，ＰＲＵＧとを対応付けて記憶している。
【０１０６】
ＳｈｏｒｔＵＥＩＤ通知部（準固定識別対応通知手段）１１６は、無線リソース制御部１１０に入力された制御情報により、ＰＳＣＣＨフォーマット管理部１１５が記憶するＳｈｏｒｔＵＥＩＤとＣ−ＲＮＴＩと使用可能なＰＲＢＧ，ＰＲＵＧとの対応付けを変更されると、ＲＲＣシグナリングにより、該変更を移動局装置に通知するように、データ制御部１０１に指示する。
通信パラメータ通知部（準固定的通信パラメータ通知手段）１１７は、無線リソース制御部１１０に入力された制御情報により、ＰＳＣＣＨフォーマット管理部１１５が記憶するＳｈｏｒｔＵＥＩＤとＣ−ＲＮＴＩとに対応付けられたＣａｔ２，３制御情報が変更されると、ＲＲＣシグナリングにより、該変更を移動局装置に通知するように、データ制御部１０１に指示する。
【０１０７】
また、図２０における送信部２０１、無線リソース制御部２０２、スケジューリング部２０４、受信部２０５、および、図２１におけるデータ制御部１０１、データ変調部１０２、ＯＦＤＭ変調部１０３、スケジューリング部１０４、チャネル推定部１０５、ＤＦＴ−Ｓ−ＯＦＤＭ復調部１０６、データ復調部１０７、制御データ抽出部１０８、無線リソース制御部１１０の機能を実現するためのプログラムをコンピュータ読み取り可能な記録媒体に記録して、この記録媒体に記録されたプログラムをコンピュータシステムに読み込ませ、実行することによりこれら各部の処理を行ってもよい。なお、ここでいう「コンピュータシステム」とは、ＯＳや周辺機器等のハードウェアを含むものとする。
【０１０８】
本発明に関わる基地局装置及び移動局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
また市場に流通させる場合には、可搬型の記録媒体にプログラムを格納して流通させたり、インターネット等のネットワークを介して接続されたサーバコンピュータに転送することができる。この場合、インターネット等のネットワークや電話回線等の通信回線を介してプログラムを送信する場合の通信線のように、短時間の間、動的にプログラムを保持するもの、その場合のサーバコンピュータとなるコンピュータシステム内部の揮発性メモリやハードディスクなどの記憶装置のように、一定時間プログラムを保持しているものも本発明の記録媒体に含まれる
【０１０９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１１０】
本発明は、携帯電話の端末装置を移動局装置とする携帯電話システムに用いて好適であるが、これに限定されない。
【図面の簡単な説明】
【０１１１】
【図１】この発明の一実施形態における下りリンク無線フレームの構成例を示す図である。
【図２】同実施形態におけるＰＲＢの構成を、配列Ｃ（ｆ，ｔ）にて表現した図である。
【図３】同実施形態における上りリンクＰＲＵの構成例を示す図である。
【図４】同実施形態における下りリンクＰＲＢのチャネル構成例を示す図である。
【図５】同実施形態における下りリンク共用制御チャネルＰＳＣＣＨの制御情報を説明する図である。
【図６】同実施形態におけるＰＳＣＣＨの符号化方法を示す図である。
【図７】同実施形態における移動局装置が割り当てられるＳｈｏｒｔＵＥＩＤの識別可能な範囲の例を示した図である。
【図８】同実施形態におけるＳｈｏｒＵＥＩＤの割り当て例を示した図である。
【図９】同実施形態におけるＳＩＤとＳｈｏｒｔＵＥＩＤとの割り当て例を示した図である。
【図１０】同実施形態におけるリソース割り当て情報のフォーマットを示す図である。
【図１１】同実施形態におけるＳｈｏｒｔＵＥＩＤ／ＳＩＤをリソース割り当てに使用した例を示す図である。
【図１２】同実施形態におけるリソース割り当て情報の物理的な配置方法を示す図である。
【図１３】同実施形態におけるＳＩＤで指定された移動局装置に対するＣａｔ２，３の情報の配置方法を示す図である。
【図１４】同実施形態におけるリソース割り当て情報のフォーマットの別の形態を示す図である。
【図１５】同実施形態におけるＬＴＦＳをリソース割り当てに使用したリソース割り当て情報例を示す図である。
【図１６】同実施形態におけるＰＳＣＣＨフォーマット設定手順を説明するシーケンス図である。
【図１７】同実施形態における１ＴＴＩ内のスケジューリング手順を説明するシーケンス図である。
【図１８】同実施形態における移動局装置の処理手順を説明するフローチャートである。
【図１９】同実施形態における基地局装置の処理手順を説明するフローチャートである。
【図２０】同実施形態における移動局装置の構成を示す概略ブロック図である。
【図２１】同実施形態における基地局装置の構成を示す概略ブロック図である。
【符号の説明】
【０１１２】
１０１…データ制御部
１０２…データ変調部
１０３…ＯＦＤＭ変調部
１０４…スケジューリング部
１０５…チャネル推定部
１０６…ＤＦＴ−Ｓ−ＯＦＤＭ復調部
１０７…データ復調部
１０８…制御データ抽出部
１０９…無線部
１１０…無線リソース制御部
１１２…ＤＬスケジューリング部
１１３…ＵＬスケジューリング部
１１５…ＰＳＣＣＨフォーマット管理部
１１６…ＳｈｏｒｔＵＥＩＤ通知部
１１７…通信パラメータ通知部
２０１…送信部
２０２…無線リソース制御部
２０３…無線制御部
２０４…スケジューリング部
２０５…受信部
２０６…無線部
２０７…ＰＳＣＣＨフォーマット管理部
２０８…ＳｈｏｒｔＵＥＩＤ検出部
２０９…通信パラメータ検出部
２１１…データ制御部
２１２…データ変調部
２１３…ＤＦＴ−Ｓ−ＯＦＤＭ変調部
２２１…チャネル推定部
２２２…ＯＦＤＭ復調部
２２３…データ復調部
２２４…制御データ抽出部
２２５…ＰＳＣＣＨ受信制御部
【図１】
2008172366.tif 000003
【図２】
2008172366.tif 000004
【図３】
2008172366.tif 000005
【図４】
2008172366.tif 000006
【図５】
2008172366.tif 000007
【図６】
2008172366.tif 000008
【図７】
2008172366.tif 000009
【図８】
2008172366.tif 000010
【図９】
2008172366.tif 000011
【図１０】
2008172366.tif 000012
【図１１】
2008172366.tif 000013
【図１２】
2008172366.tif 000014
【図１３】
2008172366.tif 000015
【図１４】
2008172366.tif 000016
【図１５】
2008172366.tif 000017
【図１６】
2008172366.tif 000018
【図１７】
2008172366.tif 000019
【図１８】
2008172366.tif 000020
【図１９】
2008172366.tif 000021
【図２０】
2008172366.tif 000022
【図２１】
2008172366.tif 000023